(57)【要約】【課題】転送宛先の指定をより柔軟に、かつ、簡単に行えるようにしたデータ通信端末装置を提供することを目的としている。【解決手段】このネットワークファクシミリ装置ＦＸに対して、転送画情報を送信しようとするグループ４ファクシミリ装置のユーザは、転送先に対応したＩＳＤＮ番号を着番号に指定するだけで、所望する転送先へ画情報を転送させることができ、転送送信操作時の操作の手間を大幅に軽減することができ、非常に便利であるという効果を得る。【選択図】        図１
2005278183.tif 000002
【特許請求の範囲】
【請求項１】
第１のネットワークに接続して通信する機能と、第２のネットワークに接続して通信する機能を備え、上記第１のネットワークを介して受信した情報を、上記第２のネットワークに接続された他のデータ端末へ転送する機能を備えたデータ通信端末装置において、
上記第１のネットワークについて、端末指定情報を複数有し、その複数の端末指定情報のおのおのに、上記第２のネットワークの宛先情報を登録し、上記第１のネットワークから情報を受信すると、その受信時に適用された上記端末指定情報に対応して登録された上記宛先情報を取り出し、受信情報を、その取り出した宛先情報を適用し、上記第２のネットワークを介して送信することを特徴とするデータ通信端末装置。
【請求項２】
ＩＳＤＮに接続してファクシミリ画情報をやりとりするグループ４ファクシミリ通信機能と、ローカルエリアネットワークに接続して通信する機能を備え、上記ＩＳＤＮを介して受信した情報を、上記ローカルエリアネットワークに接続された他のデータ端末へ転送する機能を備えたデータ通信端末装置において、
上記ＩＳＤＮについて、複数の電話番号を契約するとともに、それぞれの電話番号には、上記ローカルエリアネットワークの宛先情報を登録し、上記ＩＳＤＮから発呼されて情報を受信すると、その受信時に適用された上記電話番号に対応して登録された上記宛先情報を取り出し、受信情報を、その取り出した宛先情報を適用し、上記ローカルエリアネットワークを介して送信することを特徴とするデータ通信端末装置。
【請求項３】
ＩＳＤＮに接続してファクシミリ画情報をやりとりするグループ４ファクシミリ通信機能と、ローカルエリアネットワークに接続して通信する機能を備え、上記ＩＳＤＮを介して受信した情報を、上記ローカルエリアネットワークに接続された他のデータ端末へ転送する機能を備えたデータ通信端末装置において、
上記ＩＳＤＮについて、複数の電話番号を契約し、特定の電話番号には全宛先への転送を登録するとともに、他のそれぞれの電話番号には、上記ローカルエリアネットワークの宛先情報を登録し、上記ＩＳＤＮから発呼されて情報を受信すると、その受信時に適用された上記電話番号が上記特定の電話番号の場合には、他のそれぞれの電話番号に対応して登録された複数の上記宛先情報を取り出し、受信情報を、その取り出した複数の宛先情報を適用し、上記ローカルエリアネットワークを介して送信し、その受信時に適用された上記電話番号が上記特定の電話番号以外の場合には、その電話番号に対応して登録された上記宛先情報を取り出し、受信情報を、その取り出した宛先情報を適用し、上記ローカルエリアネットワークを介して送信することを特徴とするデータ通信端末装置。
【請求項４】
ＩＳＤＮに接続してファクシミリ画情報をやりとりするグループ４ファクシミリ通信機能と、ローカルエリアネットワークに接続して通信する機能を備え、上記ＩＳＤＮを介して受信した情報を、上記ローカルエリアネットワークに接続された他のデータ端末へ転送する機能を備えたデータ通信端末装置において、
上記ＩＳＤＮについて、複数の電話番号を契約し、特定の電話番号には緊急時宛先情報を登録するとともに、他のそれぞれの電話番号には、上記ローカルエリアネットワークの宛先情報を登録し、上記ＩＳＤＮから発呼されて情報を受信すると、その受信時に適用された上記電話番号が上記特定の電話番号の場合には、その受信情報を自端末側で出力するとともに、上記特定の電話番号に対応して登録された上記緊急時宛先情報を取り出し、受信情報を、その取り出した緊急時宛先情報を適用し、上記ローカルエリアネットワークを介して送信し、その受信時に適用された上記電話番号が上記特定の電話番号以外の場合には、その電話番号に対応して登録された上記宛先情報を取り出し、受信情報を、その取り出した宛先情報を適用し、上記ローカルエリアネットワークを介して送信することを特徴とするデータ通信端末装置。
【請求項５】
ＩＳＤＮに接続してファクシミリ画情報をやりとりするグループ４ファクシミリ通信機能と、ローカルエリアネットワークに接続して通信する機能を備え、上記ＩＳＤＮを介して受信した情報を、上記ローカルエリアネットワークに接続された他のデータ端末へ転送する機能を備えたデータ通信端末装置において、
上記ＩＳＤＮについて、複数の電話番号を契約するとともに、その複数の一部の電話番号には、上記ローカルエリアネットワークの宛先情報を登録し、上記ＩＳＤＮから発呼されて情報を受信すると、その受信時に適用された上記電話番号に対応して上記宛先情報が登録されているときには、その登録された上記宛先情報を取り出し、受信情報を、その取り出した宛先情報を適用し、上記ローカルエリアネットワークを介して送信し、受信時に適用された上記電話番号に対応して上記宛先情報が登録されていないときには、受信情報をローカルに出力することを特徴とするデータ通信端末装置。
【請求項６】
ＩＳＤＮに接続してファクシミリ画情報をやりとりするグループ４ファクシミリ通信機能と、上記ＩＳＤＮを介して受信した情報を、上記ローカルエリアネットワークに接続された他のデータ端末へ転送する機能を備えたデータ通信端末装置において、
上記ＩＳＤＮについて、複数のサブアドレスを設定するとともに、それぞれの上記サブアドレスには、上記ローカルエリアネットワークの宛先情報を登録し、上記ＩＳＤＮから発呼されて情報を受信すると、その受信時に適用された上記サブアドレスに対応して登録された上記宛先情報を取り出し、受信情報を、その取り出した宛先情報を適用し、上記ローカルエリアネットワークを介して送信することを特徴とするデータ通信端末装置。
【請求項７】
ＩＳＤＮに接続してファクシミリ画情報をやりとりするグループ４ファクシミリ通信機能と、ローカルエリアネットワークに接続して通信する機能を備え、上記ＩＳＤＮを介して受信した情報を、上記ローカルエリアネットワークに接続された他のデータ端末へ転送する機能を備えたデータ通信端末装置において、
上記ＩＳＤＮについて、複数のサブアドレスを設定するとともに、特定の上記サブアドレスには全宛先への転送を登録するとともに、他のそれぞれの上記サブアドレスには、上記ローカルエリアネットワークの宛先情報を登録し、上記ＩＳＤＮから発呼されて情報を受信すると、その受信時に適用された上記サブアドレスが上記特定のサブアドレスの場合には、他のそれぞれのサブアドレスに対応して登録された複数の上記宛先情報を取り出し、受信情報を、その取り出した複数の宛先情報を適用し、上記ローカルエリアネットワークを介して送信し、その受信時に適用された上記サブアドレスが上記特定のサブアドレス以外の場合には、そのサブアドレスに対応して登録された上記宛先情報を取り出し、受信情報を、その取り出した宛先情報を適用し、上記ローカルエリアネットワークを介して送信することを特徴とするデータ通信端末装置。
【請求項８】
ＩＳＤＮに接続してファクシミリ画情報をやりとりするグループ４ファクシミリ通信機能と、ローカルエリアネットワークに接続して通信する機能を備え、上記ＩＳＤＮを介して受信した情報を、上記ローカルエリアネットワークに接続された他のデータ端末へ転送する機能を備えたデータ通信端末装置において、
上記ＩＳＤＮについて、複数のサブアドレスを設定し、特定のサブアドレスには緊急時宛先情報を登録するとともに、他のそれぞれのサブアドレスには、上記ローカルエリアネットワークの宛先情報を登録し、上記ＩＳＤＮから発呼されて情報を受信すると、その受信時に適用された上記サブアドレスが上記特定のサブアドレスの場合には、その受信情報を自端末側で出力するとともに、上記特定のサブアドレスに対応して登録された上記緊急時宛先情報を取り出し、受信情報を、その取り出した緊急時宛先情報を適用し、上記ローカルエリアネットワークを介して送信し、その受信時に適用された上記サブアドレスが上記特定のサブアドレス以外の場合には、そのサブアドレスに対応して登録された上記宛先情報を取り出し、受信情報を、その取り出した宛先情報を適用し、上記ローカルエリアネットワークを介して送信することを特徴とするデータ通信端末装置。
【請求項９】
ＩＳＤＮに接続してファクシミリ画情報をやりとりするグループ４ファクシミリ通信機能と、ローカルエリアネットワークに接続して通信する機能を備え、上記ＩＳＤＮを介して受信した情報を、上記ローカルエリアネットワークに接続された他のデータ端末へ転送する機能を備えたデータ通信端末装置において、
上記ＩＳＤＮについて、複数のサブアドレスを設定し、その複数の一部のサブアドレスには、上記ローカルエリアネットワークの宛先情報を登録し、上記ＩＳＤＮから発呼されて情報を受信すると、その受信時に適用された上記サブアドレスに対応して上記宛先情報が登録されているときには、その登録された上記宛先情報を取り出し、受信情報を、その取り出した宛先情報を適用し、上記ローカルエリアネットワークを介して送信し、受信時に適用された上記サブアドレスに対応して上記宛先情報が登録されていないときには、受信情報をローカルに出力することを特徴とするデータ通信端末装置。
【請求項１０】
ＩＳＤＮに接続してファクシミリ画情報をやりとりするグループ４ファクシミリ通信機能と、ローカルエリアネットワークに接続して通信する機能を備え、上記ＩＳＤＮを介して受信した情報を、上記ローカルエリアネットワークに接続された他のデータ端末へ転送する機能を備えたデータ通信端末装置において、
上記ＩＳＤＮについて、複数の電話番号を契約するとともに、それぞれの電話番号には、上記ローカルエリアネットワークの宛先情報を登録し、上記ＩＳＤＮから発呼されて情報を受信すると、その受信時に適用された上記電話番号に対応して登録された上記宛先情報を取り出し、受信情報を、その取り出した宛先情報を適用し、上記ローカルエリアネットワークを介して送信することを特徴とするデータ通信端末装置。
【請求項１１】
ＰＳＴＮに接続してファクシミリ画情報をやりとりするグループ３ファクシミリ通信機能と、ローカルエリアネットワークに接続して通信する機能を備え、上記ＰＳＴＮを介して受信した情報を、上記ローカルエリアネットワークに接続された他のデータ端末へ転送する機能を備えたデータ通信端末装置において、
上記ＰＳＴＮについて、複数のダイアルイン電話番号を契約し、特定のダイアルイン電話番号には全宛先への転送を登録するとともに、他のそれぞれのダイアルイン電話番号には、上記ローカルエリアネットワークの宛先情報を登録し、上記ＰＳＴＮから発呼されて情報を受信すると、その受信時に適用された上記ダイアルイン電話番号が上記特定のダイアルイン電話番号の場合には、他のそれぞれのダイアルイン電話番号に対応して登録された複数の上記宛先情報を取り出し、受信情報を、その取り出した複数の宛先情報を適用し、上記ローカルエリアネットワークを介して送信し、その受信時に適用された上記ダイアルイン電話番号が上記特定のダイアルイン電話番号以外の場合には、そのダイアルイン電話番号に対応して登録された上記宛先情報を取り出し、受信情報を、その取り出した宛先情報を適用し、上記ローカルエリアネットワークを介して送信することを特徴とするデータ通信端末装置。
【請求項１２】
ＰＳＴＮに接続してファクシミリ画情報をやりとりするグループ３ファクシミリ通信機能と、ローカルエリアネットワークに接続して通信する機能を備え、上記ＰＳＴＮを介して受信した情報を、上記ローカルエリアネットワークに接続された他のデータ端末へ転送する機能を備えたデータ通信端末装置において、
上記ＰＳＴＮについて、複数のダイアルイン電話番号を契約し、特定のダイアルイン電話番号には緊急時宛先情報を登録するとともに、他のそれぞれのダイアルイン電話番号には、上記ローカルエリアネットワークの宛先情報を登録し、上記ＰＳＴＮから発呼されて情報を受信すると、その受信時に適用された上記ダイアルイン電話番号が上記特定のダイアルイン電話番号の場合には、その受信情報を自端末側で出力するとともに、上記特定のダイアルイン電話番号に対応して登録された上記緊急時宛先情報を取り出し、受信情報を、その取り出した緊急時宛先情報を適用し、上記ローカルエリアネットワークを介して送信し、その受信時に適用された上記ダイアルイン電話番号が上記特定のダイアルイン電話番号以外の場合には、そのダイアルイン電話番号に対応して登録された上記宛先情報を取り出し、受信情報を、その取り出した宛先情報を適用し、上記ローカルエリアネットワークを介して送信することを特徴とするデータ通信端末装置。
【請求項１３】
ＰＳＴＮに接続してファクシミリ画情報をやりとりするグループ３ファクシミリ通信機能と、ローカルエリアネットワークに接続して通信する機能を備え、上記ＰＳＴＮを介して受信した情報を、上記ローカルエリアネットワークに接続された他のデータ端末へ転送する機能を備えたデータ通信端末装置において、
上記ＰＳＴＮについて、複数のダイアルイン電話番号を契約するとともに、その複数の一部のダイアルイン電話番号には、上記ローカルエリアネットワークの宛先情報を登録し、上記ＰＳＴＮから発呼されて情報を受信すると、その受信時に適用された上記ダイアルイン電話番号に対応して上記宛先情報が登録されているときには、その登録された上記宛先情報を取り出し、受信情報を、その取り出した宛先情報を適用し、上記ローカルエリアネットワークを介して送信し、受信時に適用された上記ダイアルイン電話番号に対応して上記宛先情報が登録されていないときには、受信情報をローカルに出力することを特徴とするデータ通信端末装置。
【請求項１４】
ＰＳＴＮに接続してファクシミリ画情報をやりとりするグループ３ファクシミリ通信機能と、上記ＰＳＴＮを介して受信した情報を、上記ローカルエリアネットワークに接続された他のデータ端末へ転送する機能を備えたデータ通信端末装置において、
複数のサブアドレスを設定するとともに、それぞれの上記サブアドレスには、上記ローカルエリアネットワークの宛先情報を登録し、上記ＰＳＴＮから発呼されて情報を受信すると、その受信時のグループ３ファクシミリ伝送手順により相手端末より通知された上記サブアドレスに対応して登録された上記宛先情報を取り出し、受信情報を、その取り出した宛先情報を適用し、上記ローカルエリアネットワークを介して送信することを特徴とするデータ通信端末装置。
【請求項１５】
ＰＳＴＮに接続してファクシミリ画情報をやりとりするグループ３ファクシミリ通信機能と、ローカルエリアネットワークに接続して通信する機能を備え、上記ＰＳＴＮを介して受信した情報を、上記ローカルエリアネットワークに接続された他のデータ端末へ転送する機能を備えたデータ通信端末装置において、
複数のサブアドレスを設定するとともに、特定の上記サブアドレスには全宛先への転送を登録するとともに、他のそれぞれの上記サブアドレスには、上記ローカルエリアネットワークの宛先情報を登録し、上記ＰＳＴＮから発呼されて情報を受信すると、その受信時のグループ３ファクシミリ伝送手順により相手端末より通知された上記サブアドレスが上記特定のサブアドレスの場合には、他のそれぞれのサブアドレスに対応して登録された複数の上記宛先情報を取り出し、受信情報を、その取り出した複数の宛先情報を適用し、上記ローカルエリアネットワークを介して送信し、その受信時に適用された上記サブアドレスが上記特定のサブアドレス以外の場合には、そのサブアドレスに対応して登録された上記宛先情報を取り出し、受信情報を、その取り出した宛先情報を適用し、上記ローカルエリアネットワークを介して送信することを特徴とするデータ通信端末装置。
【請求項１６】
ＰＳＴＮに接続してファクシミリ画情報をやりとりするグループ３ファクシミリ通信機能と、ローカルエリアネットワークに接続して通信する機能を備え、上記ＰＳＴＮを介して受信した情報を、上記ローカルエリアネットワークに接続された他のデータ端末へ転送する機能を備えたデータ通信端末装置において、
複数のサブアドレスを設定し、特定のサブアドレスには緊急時宛先情報を登録するとともに、他のそれぞれのサブアドレスには、上記ローカルエリアネットワークの宛先情報を登録し、上記ＰＳＴＮから発呼されて情報を受信すると、その受信時のグループ３ファクシミリ伝送手順により相手端末より通知された上記サブアドレスが上記特定のサブアドレスの場合には、その受信情報を自端末側で出力するとともに、上記特定のサブアドレスに対応して登録された上記緊急時宛先情報を取り出し、受信情報を、その取り出した緊急時宛先情報を適用し、上記ローカルエリアネットワークを介して送信し、その受信時に適用された上記サブアドレスが上記特定のサブアドレス以外の場合には、そのサブアドレスに対応して登録された上記宛先情報を取り出し、受信情報を、その取り出した宛先情報を適用し、上記ローカルエリアネットワークを介して送信することを特徴とするデータ通信端末装置。
【請求項１７】
ＰＳＴＮに接続してファクシミリ画情報をやりとりするグループ３ファクシミリ通信機能と、ローカルエリアネットワークに接続して通信する機能を備え、上記ＰＳＴＮを介して受信した情報を、上記ローカルエリアネットワークに接続された他のデータ端末へ転送する機能を備えたデータ通信端末装置において、
複数のサブアドレスを設定し、その複数の一部のサブアドレスには、上記ローカルエリアネットワークの宛先情報を登録し、上記ＰＳＴＮから発呼されて情報を受信すると、その受信時のグループ３ファクシミリ伝送手順により相手端末より通知された上記サブアドレスに対応して上記宛先情報が登録されているときには、その登録された上記宛先情報を取り出し、受信情報を、その取り出した宛先情報を適用し、上記ローカルエリアネットワークを介して送信し、受信時に適用された上記サブアドレスに対応して上記宛先情報が登録されていないときには、受信情報をローカルに出力することを特徴とするデータ通信端末装置。
【請求項１８】
前記ローカルエリアネットワークは、インターネットへ接続され、前記ローカルエリアネットワークの宛先情報は、上記インターネットにおける宛先情報を含むことを特徴とする請求項２または請求項３または請求項４または請求項５または請求項６または請求項７または請求項８または請求項９記載または請求項１０または請求項１１または請求項１２または請求項１３または請求項１４または請求項１５または請求項１６または請求項１７記載のデータ通信端末装置。
【請求項１９】
第１のネットワークに接続して通信する機能と、第２のネットワークに接続して通信する機能を備え、上記第１のネットワークを介して受信した情報を、上記第２のネットワークに接続された他のデータ端末へ転送する機能を備えたデータ通信端末装置の通信制御方法において、
上記第１のネットワークについて、端末指定情報を複数有し、その複数の端末指定情報のおのおのに、上記第２のネットワークの宛先情報を登録し、上記第１のネットワークから情報を受信すると、その受信時に適用された上記端末指定情報に対応して登録された上記宛先情報を取り出し、受信情報を、その取り出した宛先情報を適用し、上記第２のネットワークを介して送信することを特徴とするデータ通信端末装置の通信制御方法。
【請求項２０】
ＩＳＤＮに接続してファクシミリ画情報をやりとりするグループ４ファクシミリ通信機能と、ローカルエリアネットワークに接続して通信する機能を備え、上記ＩＳＤＮを介して受信した情報を、上記ローカルエリアネットワークに接続された他のデータ端末へ転送する機能を備えたデータ通信端末装置の通信制御方法において、
上記ＩＳＤＮについて、複数の電話番号を契約するとともに、それぞれの電話番号には、上記ローカルエリアネットワークの宛先情報を登録し、上記ＩＳＤＮから発呼されて情報を受信すると、その受信時に適用された上記電話番号に対応して登録された上記宛先情報を取り出し、受信情報を、その取り出した宛先情報を適用し、上記ローカルエリアネットワークを介して送信することを特徴とするデータ通信端末装置の通信制御方法。
【請求項２１】
ＩＳＤＮに接続してファクシミリ画情報をやりとりするグループ４ファクシミリ通信機能と、ローカルエリアネットワークに接続して通信する機能を備え、上記ＩＳＤＮを介して受信した情報を、上記ローカルエリアネットワークに接続された他のデータ端末へ転送する機能を備えたデータ通信端末装置の通信制御方法において、
上記ＩＳＤＮについて、複数の電話番号を契約し、特定の電話番号には全宛先への転送を登録するとともに、他のそれぞれの電話番号には、上記ローカルエリアネットワークの宛先情報を登録し、上記ＩＳＤＮから発呼されて情報を受信すると、その受信時に適用された上記電話番号が上記特定の電話番号の場合には、他のそれぞれの電話番号に対応して登録された複数の上記宛先情報を取り出し、受信情報を、その取り出した複数の宛先情報を適用し、上記ローカルエリアネットワークを介して送信し、その受信時に適用された上記電話番号が上記特定の電話番号以外の場合には、その電話番号に対応して登録された上記宛先情報を取り出し、受信情報を、その取り出した宛先情報を適用し、上記ローカルエリアネットワークを介して送信することを特徴とするデータ通信端末装置の通信制御方法。
【請求項２２】
ＩＳＤＮに接続してファクシミリ画情報をやりとりするグループ４ファクシミリ通信機能と、ローカルエリアネットワークに接続して通信する機能を備え、上記ＩＳＤＮを介して受信した情報を、上記ローカルエリアネットワークに接続された他のデータ端末へ転送する機能を備えたデータ通信端末装置の通信制御方法において、
上記ＩＳＤＮについて、複数の電話番号を契約し、特定の電話番号には緊急時宛先情報を登録するとともに、他のそれぞれの電話番号には、上記ローカルエリアネットワークの宛先情報を登録し、上記ＩＳＤＮから発呼されて情報を受信すると、その受信時に適用された上記電話番号が上記特定の電話番号の場合には、その受信情報を自端末側で出力するとともに、上記特定の電話番号に対応して登録された上記緊急時宛先情報を取り出し、受信情報を、その取り出した緊急時宛先情報を適用し、上記ローカルエリアネットワークを介して送信し、その受信時に適用された上記電話番号が上記特定の電話番号以外の場合には、その電話番号に対応して登録された上記宛先情報を取り出し、受信情報を、その取り出した宛先情報を適用し、上記ローカルエリアネットワークを介して送信することを特徴とするデータ通信端末装置の通信制御方法。
【請求項２３】
ＩＳＤＮに接続してファクシミリ画情報をやりとりするグループ４ファクシミリ通信機能と、ローカルエリアネットワークに接続して通信する機能を備え、上記ＩＳＤＮを介して受信した情報を、上記ローカルエリアネットワークに接続された他のデータ端末へ転送する機能を備えたデータ通信端末装置の通信制御方法において、
上記ＩＳＤＮについて、複数の電話番号を契約するとともに、その複数の一部の電話番号には、上記ローカルエリアネットワークの宛先情報を登録し、上記ＩＳＤＮから発呼されて情報を受信すると、その受信時に適用された上記電話番号に対応して上記宛先情報が登録されているときには、その登録された上記宛先情報を取り出し、受信情報を、その取り出した宛先情報を適用し、上記ローカルエリアネットワークを介して送信し、受信時に適用された上記電話番号に対応して上記宛先情報が登録されていないときには、受信情報をローカルに出力することを特徴とするデータ通信端末装置の通信制御方法。
【請求項２４】
ＩＳＤＮに接続してファクシミリ画情報をやりとりするグループ４ファクシミリ通信機能と、上記ＩＳＤＮを介して受信した情報を、上記ローカルエリアネットワークに接続された他のデータ端末へ転送する機能を備えたデータ通信端末装置の通信制御方法において、
上記ＩＳＤＮについて、複数のサブアドレスを設定するとともに、それぞれの上記サブアドレスには、上記ローカルエリアネットワークの宛先情報を登録し、上記ＩＳＤＮから発呼されて情報を受信すると、その受信時に適用された上記サブアドレスに対応して登録された上記宛先情報を取り出し、受信情報を、その取り出した宛先情報を適用し、上記ローカルエリアネットワークを介して送信することを特徴とするデータ通信端末装置の通信制御方法。
【請求項２５】
ＩＳＤＮに接続してファクシミリ画情報をやりとりするグループ４ファクシミリ通信機能と、ローカルエリアネットワークに接続して通信する機能を備え、上記ＩＳＤＮを介して受信した情報を、上記ローカルエリアネットワークに接続された他のデータ端末へ転送する機能を備えたデータ通信端末装置の通信制御方法において、
上記ＩＳＤＮについて、複数のサブアドレスを設定するとともに、特定の上記サブアドレスには全宛先への転送を登録するとともに、他のそれぞれの上記サブアドレスには、上記ローカルエリアネットワークの宛先情報を登録し、上記ＩＳＤＮから発呼されて情報を受信すると、その受信時に適用された上記サブアドレスが上記特定のサブアドレスの場合には、他のそれぞれのサブアドレスに対応して登録された複数の上記宛先情報を取り出し、受信情報を、その取り出した複数の宛先情報を適用し、上記ローカルエリアネットワークを介して送信し、その受信時に適用された上記サブアドレスが上記特定のサブアドレス以外の場合には、そのサブアドレスに対応して登録された上記宛先情報を取り出し、受信情報を、その取り出した宛先情報を適用し、上記ローカルエリアネットワークを介して送信することを特徴とするデータ通信端末装置の通信制御方法。
【請求項２６】
ＩＳＤＮに接続してファクシミリ画情報をやりとりするグループ４ファクシミリ通信機能と、ローカルエリアネットワークに接続して通信する機能を備え、上記ＩＳＤＮを介して受信した情報を、上記ローカルエリアネットワークに接続された他のデータ端末へ転送する機能を備えたデータ通信端末装置の通信制御方法において、
上記ＩＳＤＮについて、複数のサブアドレスを設定し、特定のサブアドレスには緊急時宛先情報を登録するとともに、他のそれぞれのサブアドレスには、上記ローカルエリアネットワークの宛先情報を登録し、上記ＩＳＤＮから発呼されて情報を受信すると、その受信時に適用された上記サブアドレスが上記特定のサブアドレスの場合には、その受信情報を自端末側で出力するとともに、上記特定のサブアドレスに対応して登録された上記緊急時宛先情報を取り出し、受信情報を、その取り出した緊急時宛先情報を適用し、上記ローカルエリアネットワークを介して送信し、その受信時に適用された上記サブアドレスが上記特定のサブアドレス以外の場合には、そのサブアドレスに対応して登録された上記宛先情報を取り出し、受信情報を、その取り出した宛先情報を適用し、上記ローカルエリアネットワークを介して送信することを特徴とするデータ通信端末装置の通信制御方法。
【請求項２７】
ＩＳＤＮに接続してファクシミリ画情報をやりとりするグループ４ファクシミリ通信機能と、ローカルエリアネットワークに接続して通信する機能を備え、上記ＩＳＤＮを介して受信した情報を、上記ローカルエリアネットワークに接続された他のデータ端末へ転送する機能を備えたデータ通信端末装置の通信制御方法において、
上記ＩＳＤＮについて、複数のサブアドレスを設定し、その複数の一部のサブアドレスには、上記ローカルエリアネットワークの宛先情報を登録し、上記ＩＳＤＮから発呼されて情報を受信すると、その受信時に適用された上記サブアドレスに対応して上記宛先情報が登録されているときには、その登録された上記宛先情報を取り出し、受信情報を、その取り出した宛先情報を適用し、上記ローカルエリアネットワークを介して送信し、受信時に適用された上記サブアドレスに対応して上記宛先情報が登録されていないときには、受信情報をローカルに出力することを特徴とするデータ通信端末装置の通信制御方法。
【請求項２８】
ＩＳＤＮに接続してファクシミリ画情報をやりとりするグループ４ファクシミリ通信機能と、ローカルエリアネットワークに接続して通信する機能を備え、上記ＩＳＤＮを介して受信した情報を、上記ローカルエリアネットワークに接続された他のデータ端末へ転送する機能を備えたデータ通信端末装置の通信制御方法において、
上記ＩＳＤＮについて、複数の電話番号を契約するとともに、それぞれの電話番号には、上記ローカルエリアネットワークの宛先情報を登録し、上記ＩＳＤＮから発呼されて情報を受信すると、その受信時に適用された上記電話番号に対応して登録された上記宛先情報を取り出し、受信情報を、その取り出した宛先情報を適用し、上記ローカルエリアネットワークを介して送信することを特徴とするデータ通信端末装置の通信制御方法。
【請求項２９】
ＰＳＴＮに接続してファクシミリ画情報をやりとりするグループ３ファクシミリ通信機能と、ローカルエリアネットワークに接続して通信する機能を備え、上記ＰＳＴＮを介して受信した情報を、上記ローカルエリアネットワークに接続された他のデータ端末へ転送する機能を備えたデータ通信端末装置の通信制御方法において、
上記ＰＳＴＮについて、複数のダイアルイン電話番号を契約し、特定のダイアルイン電話番号には全宛先への転送を登録するとともに、他のそれぞれのダイアルイン電話番号には、上記ローカルエリアネットワークの宛先情報を登録し、上記ＰＳＴＮから発呼されて情報を受信すると、その受信時に適用された上記ダイアルイン電話番号が上記特定のダイアルイン電話番号の場合には、他のそれぞれのダイアルイン電話番号に対応して登録された複数の上記宛先情報を取り出し、受信情報を、その取り出した複数の宛先情報を適用し、上記ローカルエリアネットワークを介して送信し、その受信時に適用された上記ダイアルイン電話番号が上記特定のダイアルイン電話番号以外の場合には、そのダイアルイン電話番号に対応して登録された上記宛先情報を取り出し、受信情報を、その取り出した宛先情報を適用し、上記ローカルエリアネットワークを介して送信することを特徴とするデータ通信端末装置の通信制御方法。
【請求項３０】
ＰＳＴＮに接続してファクシミリ画情報をやりとりするグループ３ファクシミリ通信機能と、ローカルエリアネットワークに接続して通信する機能を備え、上記ＰＳＴＮを介して受信した情報を、上記ローカルエリアネットワークに接続された他のデータ端末へ転送する機能を備えたデータ通信端末装置の通信制御方法において、
上記ＰＳＴＮについて、複数のダイアルイン電話番号を契約し、特定のダイアルイン電話番号には緊急時宛先情報を登録するとともに、他のそれぞれのダイアルイン電話番号には、上記ローカルエリアネットワークの宛先情報を登録し、上記ＰＳＴＮから発呼されて情報を受信すると、その受信時に適用された上記ダイアルイン電話番号が上記特定のダイアルイン電話番号の場合には、その受信情報を自端末側で出力するとともに、上記特定のダイアルイン電話番号に対応して登録された上記緊急時宛先情報を取り出し、受信情報を、その取り出した緊急時宛先情報を適用し、上記ローカルエリアネットワークを介して送信し、その受信時に適用された上記ダイアルイン電話番号が上記特定のダイアルイン電話番号以外の場合には、そのダイアルイン電話番号に対応して登録された上記宛先情報を取り出し、受信情報を、その取り出した宛先情報を適用し、上記ローカルエリアネットワークを介して送信することを特徴とするデータ通信端末装置の通信制御方法。
【請求項３１】
ＰＳＴＮに接続してファクシミリ画情報をやりとりするグループ３ファクシミリ通信機能と、ローカルエリアネットワークに接続して通信する機能を備え、上記ＰＳＴＮを介して受信した情報を、上記ローカルエリアネットワークに接続された他のデータ端末へ転送する機能を備えたデータ通信端末装置の通信制御方法において、
上記ＰＳＴＮについて、複数のダイアルイン電話番号を契約するとともに、その複数の一部のダイアルイン電話番号には、上記ローカルエリアネットワークの宛先情報を登録し、上記ＰＳＴＮから発呼されて情報を受信すると、その受信時に適用された上記ダイアルイン電話番号に対応して上記宛先情報が登録されているときには、その登録された上記宛先情報を取り出し、受信情報を、その取り出した宛先情報を適用し、上記ローカルエリアネットワークを介して送信し、受信時に適用された上記ダイアルイン電話番号に対応して上記宛先情報が登録されていないときには、受信情報をローカルに出力することを特徴とするデータ通信端末装置の通信制御方法。
【請求項３２】
ＰＳＴＮに接続してファクシミリ画情報をやりとりするグループ３ファクシミリ通信機能と、上記ＰＳＴＮを介して受信した情報を、上記ローカルエリアネットワークに接続された他のデータ端末へ転送する機能を備えたデータ通信端末装置の通信制御方法において、
複数のサブアドレスを設定するとともに、それぞれの上記サブアドレスには、上記ローカルエリアネットワークの宛先情報を登録し、上記ＰＳＴＮから発呼されて情報を受信すると、その受信時のグループ３ファクシミリ伝送手順により相手端末より通知された上記サブアドレスに対応して登録された上記宛先情報を取り出し、受信情報を、その取り出した宛先情報を適用し、上記ローカルエリアネットワークを介して送信することを特徴とするデータ通信端末装置の通信制御方法。
【請求項３３】
ＰＳＴＮに接続してファクシミリ画情報をやりとりするグループ３ファクシミリ通信機能と、ローカルエリアネットワークに接続して通信する機能を備え、上記ＰＳＴＮを介して受信した情報を、上記ローカルエリアネットワークに接続された他のデータ端末へ転送する機能を備えたデータ通信端末装置の通信制御方法において、
複数のサブアドレスを設定するとともに、特定の上記サブアドレスには全宛先への転送を登録するとともに、他のそれぞれの上記サブアドレスには、上記ローカルエリアネットワークの宛先情報を登録し、上記ＰＳＴＮから発呼されて情報を受信すると、その受信時のグループ３ファクシミリ伝送手順により相手端末より通知された上記サブアドレスが上記特定のサブアドレスの場合には、他のそれぞれのサブアドレスに対応して登録された複数の上記宛先情報を取り出し、受信情報を、その取り出した複数の宛先情報を適用し、上記ローカルエリアネットワークを介して送信し、その受信時に適用された上記サブアドレスが上記特定のサブアドレス以外の場合には、そのサブアドレスに対応して登録された上記宛先情報を取り出し、受信情報を、その取り出した宛先情報を適用し、上記ローカルエリアネットワークを介して送信することを特徴とするデータ通信端末装置の通信制御方法。
【請求項３４】
ＰＳＴＮに接続してファクシミリ画情報をやりとりするグループ３ファクシミリ通信機能と、ローカルエリアネットワークに接続して通信する機能を備え、上記ＰＳＴＮを介して受信した情報を、上記ローカルエリアネットワークに接続された他のデータ端末へ転送する機能を備えたデータ通信端末装置に制御方法において、
複数のサブアドレスを設定し、特定のサブアドレスには緊急時宛先情報を登録するとともに、他のそれぞれのサブアドレスには、上記ローカルエリアネットワークの宛先情報を登録し、上記ＰＳＴＮから発呼されて情報を受信すると、その受信時のグループ３ファクシミリ伝送手順により相手端末より通知された上記サブアドレスが上記特定のサブアドレスの場合には、その受信情報を自端末側で出力するとともに、上記特定のサブアドレスに対応して登録された上記緊急時宛先情報を取り出し、受信情報を、その取り出した緊急時宛先情報を適用し、上記ローカルエリアネットワークを介して送信し、その受信時に適用された上記サブアドレスが上記特定のサブアドレス以外の場合には、そのサブアドレスに対応して登録された上記宛先情報を取り出し、受信情報を、その取り出した宛先情報を適用し、上記ローカルエリアネットワークを介して送信することを特徴とするデータ通信端末装置の通信制御方法。
【請求項３５】
ＰＳＴＮに接続してファクシミリ画情報をやりとりするグループ３ファクシミリ通信機能と、ローカルエリアネットワークに接続して通信する機能を備え、上記ＰＳＴＮを介して受信した情報を、上記ローカルエリアネットワークに接続された他のデータ端末へ転送する機能を備えたデータ通信端末装置の通信制御方法において、
複数のサブアドレスを設定し、その複数の一部のサブアドレスには、上記ローカルエリアネットワークの宛先情報を登録し、上記ＰＳＴＮから発呼されて情報を受信すると、その受信時のグループ３ファクシミリ伝送手順により相手端末より通知された上記サブアドレスに対応して上記宛先情報が登録されているときには、その登録された上記宛先情報を取り出し、受信情報を、その取り出した宛先情報を適用し、上記ローカルエリアネットワークを介して送信し、受信時に適用された上記サブアドレスに対応して上記宛先情報が登録されていないときには、受信情報をローカルに出力することを特徴とするデータ通信端末装置の通信制御方法。
【請求項３６】
前記ローカルエリアネットワークは、インターネットへ接続され、前記ローカルエリアネットワークの宛先情報は、上記インターネットにおける宛先情報を含むことを特徴とする請求項２０または請求項２１または請求項２２または請求項２３または請求項２４または請求項２５記載または請求項２６または請求項２７または請求項２８または請求項２９または請求項３０または請求項３１または請求項３２または請求項３３または請求項３４または請求項３５記載のデータ通信端末装置の通信制御方法。
【発明の詳細な説明】
【技術分野】
【０００１】
本発明は、第１のネットワークに接続して通信する機能と、第２のネットワークに接続して通信する機能を備え、上記第１のネットワークを介して受信した情報を、上記第２のネットワークに接続された他のデータ端末へ転送する機能を備えたデータ通信端末装置、および、ＩＳＤＮに接続してファクシミリ画情報をやりとりするグループ４ファクシミリ通信機能と、上記ＩＳＤＮを介して受信した情報を、上記ローカルエリアネットワークに接続された他のデータ端末へ転送する機能を備えたデータ通信端末装置、および、ＰＳＴＮに接続してファクシミリ画情報をやりとりするグループ３ファクシミリ通信機能と、ローカルエリアネットワークに接続して通信する機能を備え、上記ＰＳＴＮを介して受信した情報を、上記ローカルエリアネットワークに接続された他のデータ端末へ転送する機能を備えたデータ通信端末装置、および、それらの通信制御方法に関する。
【背景技術】
【０００２】
従来より、アナログ公衆網ＰＳＴＮやデジタル公衆網ＩＳＤＮなどの第１のネットワークに接続して通信する機能と、ローカルエリアネットワークやインターネットなどの第２のネットワークに接続して通信する機能を備え、ＧＳＴＮを介して受信した情報を、ローカルエリアネットワークまたはインターネットに接続された他のデータ端末へ転送するネットワーク間転送機能を備えたデータ通信端末装置が実用されている（特許文献１参照）。
【０００３】
このようなネットワーク間伝送機能を備えたデータ通信端末装置を利用すると、アナログ公衆網ＰＳＴＮやデジタル公衆網ＩＳＤＮに接続されたデータ端末装置からローカルエリアネットワークに接続されたデータ端末装置に対して情報を送信することができ、ネットワークシステムの構成を柔軟にすることができ、非常に便利である。
【特許文献１】特開平１０−２１００８２号公報
【発明の開示】
【発明が解決しようとする課題】
【０００４】
しかしながら、従来、このようなネットワーク間転送機能を備えたデータ通信端末装置を利用する場合、次のような不具合を生じていた。
【０００５】
例えば、第１のネットワークとしてＩＳＤＮを利用する場合、転送依頼元から転送先宛先を指示する方法としては、転送依頼元の発番号に転送先宛先を登録しておく方法や、着サブアドレスに転送先宛先登録しておき、転送依頼元で着サブアドレスを指定することで、転送先宛先を指定する方法などがある。
【０００６】
ここで、前者の方法では、転送依頼元が指定できる転送宛先が１つに限られ、転送先を選択できる自由度が極端に低いという問題があり、後者の方法では、転送依頼元のユーザが着サブアドレスを指定操作する必要があり、操作が面倒になると言う問題があった。
【０００７】
本発明は、かかる実情に鑑みてなされたものであり、転送宛先の指定をより柔軟に、かつ、簡単に行えるようにしたデータ通信端末装置およびその通信制御方法を提供することを目的としている。
【課題を解決するための手段】
【０００８】
本発明は、第１のネットワークに接続して通信する機能と、第２のネットワークに接続して通信する機能を備え、上記第１のネットワークを介して受信した情報を、上記第２のネットワークに接続された他のデータ端末へ転送する機能を備えたデータ通信端末装置において、上記第１のネットワークについて、端末指定情報を複数有し、その複数の端末指定情報のおのおのに、上記第２のネットワークの宛先情報を登録し、上記第１のネットワークから情報を受信すると、その受信時に適用された上記端末指定情報に対応して登録された上記宛先情報を取り出し、受信情報を、その取り出した宛先情報を適用し、上記第２のネットワークを介して送信するようにしたものである。
【０００９】
また、ＩＳＤＮに接続してファクシミリ画情報をやりとりするグループ４ファクシミリ通信機能と、ローカルエリアネットワークに接続して通信する機能を備え、上記ＩＳＤＮを介して受信した情報を、上記ローカルエリアネットワークに接続された他のデータ端末へ転送する機能を備えたデータ通信端末装置において、上記ＩＳＤＮについて、複数の電話番号を契約するとともに、それぞれの電話番号には、上記ローカルエリアネットワークの宛先情報を登録し、上記ＩＳＤＮから発呼されて情報を受信すると、その受信時に適用された上記電話番号に対応して登録された上記宛先情報を取り出し、受信情報を、その取り出した宛先情報を適用し、上記ローカルエリアネットワークを介して送信するようにしたものである。
【００１０】
また、ＩＳＤＮに接続してファクシミリ画情報をやりとりするグループ４ファクシミリ通信機能と、ローカルエリアネットワークに接続して通信する機能を備え、上記ＩＳＤＮを介して受信した情報を、上記ローカルエリアネットワークに接続された他のデータ端末へ転送する機能を備えたデータ通信端末装置において、上記ＩＳＤＮについて、複数の電話番号を契約し、特定の電話番号には全宛先への転送を登録するとともに、他のそれぞれの電話番号には、上記ローカルエリアネットワークの宛先情報を登録し、上記ＩＳＤＮから発呼されて情報を受信すると、その受信時に適用された上記電話番号が上記特定の電話番号の場合には、他のそれぞれの電話番号に対応して登録された複数の上記宛先情報を取り出し、受信情報を、その取り出した複数の宛先情報を適用し、上記ローカルエリアネットワークを介して送信し、その受信時に適用された上記電話番号が上記特定の電話番号以外の場合には、その電話番号に対応して登録された上記宛先情報を取り出し、受信情報を、その取り出した宛先情報を適用し、上記ローカルエリアネットワークを介して送信するようにしたものである。
【００１１】
また、ＩＳＤＮに接続してファクシミリ画情報をやりとりするグループ４ファクシミリ通信機能と、ローカルエリアネットワークに接続して通信する機能を備え、上記ＩＳＤＮを介して受信した情報を、上記ローカルエリアネットワークに接続された他のデータ端末へ転送する機能を備えたデータ通信端末装置において、上記ＩＳＤＮについて、複数の電話番号を契約し、特定の電話番号には緊急時宛先情報を登録するとともに、他のそれぞれの電話番号には、上記ローカルエリアネットワークの宛先情報を登録し、上記ＩＳＤＮから発呼されて情報を受信すると、その受信時に適用された上記電話番号が上記特定の電話番号の場合には、その受信情報を自端末側で出力するとともに、上記特定の電話番号に対応して登録された上記緊急時宛先情報を取り出し、受信情報を、その取り出した緊急時宛先情報を適用し、上記ローカルエリアネットワークを介して送信し、その受信時に適用された上記電話番号が上記特定の電話番号以外の場合には、その電話番号に対応して登録された上記宛先情報を取り出し、受信情報を、その取り出した宛先情報を適用し、上記ローカルエリアネットワークを介して送信するようにしたものである。
【００１２】
また、ＩＳＤＮに接続してファクシミリ画情報をやりとりするグループ４ファクシミリ通信機能と、ローカルエリアネットワークに接続して通信する機能を備え、上記ＩＳＤＮを介して受信した情報を、上記ローカルエリアネットワークに接続された他のデータ端末へ転送する機能を備えたデータ通信端末装置において、上記ＩＳＤＮについて、複数の電話番号を契約するとともに、その複数の一部の電話番号には、上記ローカルエリアネットワークの宛先情報を登録し、上記ＩＳＤＮから発呼されて情報を受信すると、その受信時に適用された上記電話番号に対応して上記宛先情報が登録されているときには、その登録された上記宛先情報を取り出し、受信情報を、その取り出した宛先情報を適用し、上記ローカルエリアネットワークを介して送信し、受信時に適用された上記電話番号に対応して上記宛先情報が登録されていないときには、受信情報をローカルに出力するようにしたものである。
【００１３】
また、ＩＳＤＮに接続してファクシミリ画情報をやりとりするグループ４ファクシミリ通信機能と、上記ＩＳＤＮを介して受信した情報を、上記ローカルエリアネットワークに接続された他のデータ端末へ転送する機能を備えたデータ通信端末装置において、上記ＩＳＤＮについて、複数のサブアドレスを設定するとともに、それぞれの上記サブアドレスには、上記ローカルエリアネットワークの宛先情報を登録し、上記ＩＳＤＮから発呼されて情報を受信すると、その受信時に適用された上記サブアドレスに対応して登録された上記宛先情報を取り出し、受信情報を、その取り出した宛先情報を適用し、上記ローカルエリアネットワークを介して送信するようにしたものである。
【００１４】
また、ＩＳＤＮに接続してファクシミリ画情報をやりとりするグループ４ファクシミリ通信機能と、ローカルエリアネットワークに接続して通信する機能を備え、上記ＩＳＤＮを介して受信した情報を、上記ローカルエリアネットワークに接続された他のデータ端末へ転送する機能を備えたデータ通信端末装置において、上記ＩＳＤＮについて、複数のサブアドレスを設定するとともに、特定の上記サブアドレスには全宛先への転送を登録するとともに、他のそれぞれの上記サブアドレスには、上記ローカルエリアネットワークの宛先情報を登録し、上記ＩＳＤＮから発呼されて情報を受信すると、その受信時に適用された上記サブアドレスが上記特定のサブアドレスの場合には、他のそれぞれのサブアドレスに対応して登録された複数の上記宛先情報を取り出し、受信情報を、その取り出した複数の宛先情報を適用し、上記ローカルエリアネットワークを介して送信し、その受信時に適用された上記サブアドレスが上記特定のサブアドレス以外の場合には、そのサブアドレスに対応して登録された上記宛先情報を取り出し、受信情報を、その取り出した宛先情報を適用し、上記ローカルエリアネットワークを介して送信するようにしたものである。
【００１５】
また、ＩＳＤＮに接続してファクシミリ画情報をやりとりするグループ４ファクシミリ通信機能と、ローカルエリアネットワークに接続して通信する機能を備え、上記ＩＳＤＮを介して受信した情報を、上記ローカルエリアネットワークに接続された他のデータ端末へ転送する機能を備えたデータ通信端末装置において、上記ＩＳＤＮについて、複数のサブアドレスを設定し、特定のサブアドレスには緊急時宛先情報を登録するとともに、他のそれぞれのサブアドレスには、上記ローカルエリアネットワークの宛先情報を登録し、上記ＩＳＤＮから発呼されて情報を受信すると、その受信時に適用された上記サブアドレスが上記特定のサブアドレスの場合には、その受信情報を自端末側で出力するとともに、上記特定のサブアドレスに対応して登録された上記緊急時宛先情報を取り出し、受信情報を、その取り出した緊急時宛先情報を適用し、上記ローカルエリアネットワークを介して送信し、その受信時に適用された上記サブアドレスが上記特定のサブアドレス以外の場合には、そのサブアドレスに対応して登録された上記宛先情報を取り出し、受信情報を、その取り出した宛先情報を適用し、上記ローカルエリアネットワークを介して送信するようにしたものである。
【００１６】
また、ＩＳＤＮに接続してファクシミリ画情報をやりとりするグループ４ファクシミリ通信機能と、ローカルエリアネットワークに接続して通信する機能を備え、上記ＩＳＤＮを介して受信した情報を、上記ローカルエリアネットワークに接続された他のデータ端末へ転送する機能を備えたデータ通信端末装置において、上記ＩＳＤＮについて、複数のサブアドレスを設定し、その複数の一部のサブアドレスには、上記ローカルエリアネットワークの宛先情報を登録し、上記ＩＳＤＮから発呼されて情報を受信すると、その受信時に適用された上記サブアドレスに対応して上記宛先情報が登録されているときには、その登録された上記宛先情報を取り出し、受信情報を、その取り出した宛先情報を適用し、上記ローカルエリアネットワークを介して送信し、受信時に適用された上記サブアドレスに対応して上記宛先情報が登録されていないときには、受信情報をローカルに出力するようにしたものである。
【００１７】
また、ＩＳＤＮに接続してファクシミリ画情報をやりとりするグループ４ファクシミリ通信機能と、ローカルエリアネットワークに接続して通信する機能を備え、上記ＩＳＤＮを介して受信した情報を、上記ローカルエリアネットワークに接続された他のデータ端末へ転送する機能を備えたデータ通信端末装置において、上記ＩＳＤＮについて、複数の電話番号を契約するとともに、それぞれの電話番号には、上記ローカルエリアネットワークの宛先情報を登録し、上記ＩＳＤＮから発呼されて情報を受信すると、その受信時に適用された上記電話番号に対応して登録された上記宛先情報を取り出し、受信情報を、その取り出した宛先情報を適用し、上記ローカルエリアネットワークを介して送信するようにしたものである。
【００１８】
また、ＰＳＴＮに接続してファクシミリ画情報をやりとりするグループ３ファクシミリ通信機能と、ローカルエリアネットワークに接続して通信する機能を備え、上記ＰＳＴＮを介して受信した情報を、上記ローカルエリアネットワークに接続された他のデータ端末へ転送する機能を備えたデータ通信端末装置において、上記ＰＳＴＮについて、複数のダイアルイン電話番号を契約し、特定のダイアルイン電話番号には全宛先への転送を登録するとともに、他のそれぞれのダイアルイン電話番号には、上記ローカルエリアネットワークの宛先情報を登録し、上記ＰＳＴＮから発呼されて情報を受信すると、その受信時に適用された上記ダイアルイン電話番号が上記特定のダイアルイン電話番号の場合には、他のそれぞれのダイアルイン電話番号に対応して登録された複数の上記宛先情報を取り出し、受信情報を、その取り出した複数の宛先情報を適用し、上記ローカルエリアネットワークを介して送信し、その受信時に適用された上記ダイアルイン電話番号が上記特定のダイアルイン電話番号以外の場合には、そのダイアルイン電話番号に対応して登録された上記宛先情報を取り出し、受信情報を、その取り出した宛先情報を適用し、上記ローカルエリアネットワークを介して送信するようにしたものである。
【００１９】
また、ＰＳＴＮに接続してファクシミリ画情報をやりとりするグループ３ファクシミリ通信機能と、ローカルエリアネットワークに接続して通信する機能を備え、上記ＰＳＴＮを介して受信した情報を、上記ローカルエリアネットワークに接続された他のデータ端末へ転送する機能を備えたデータ通信端末装置において、上記ＰＳＴＮについて、複数のダイアルイン電話番号を契約し、特定のダイアルイン電話番号には緊急時宛先情報を登録するとともに、他のそれぞれのダイアルイン電話番号には、上記ローカルエリアネットワークの宛先情報を登録し、上記ＰＳＴＮから発呼されて情報を受信すると、その受信時に適用された上記ダイアルイン電話番号が上記特定のダイアルイン電話番号の場合には、その受信情報を自端末側で出力するとともに、上記特定のダイアルイン電話番号に対応して登録された上記緊急時宛先情報を取り出し、受信情報を、その取り出した緊急時宛先情報を適用し、上記ローカルエリアネットワークを介して送信し、その受信時に適用された上記ダイアルイン電話番号が上記特定のダイアルイン電話番号以外の場合には、そのダイアルイン電話番号に対応して登録された上記宛先情報を取り出し、受信情報を、その取り出した宛先情報を適用し、上記ローカルエリアネットワークを介して送信するようにしたものである。
【００２０】
また、ＰＳＴＮに接続してファクシミリ画情報をやりとりするグループ３ファクシミリ通信機能と、ローカルエリアネットワークに接続して通信する機能を備え、上記ＰＳＴＮを介して受信した情報を、上記ローカルエリアネットワークに接続された他のデータ端末へ転送する機能を備えたデータ通信端末装置において、上記ＰＳＴＮについて、複数のダイアルイン電話番号を契約するとともに、その複数の一部のダイアルイン電話番号には、上記ローカルエリアネットワークの宛先情報を登録し、上記ＰＳＴＮから発呼されて情報を受信すると、その受信時に適用された上記ダイアルイン電話番号に対応して上記宛先情報が登録されているときには、その登録された上記宛先情報を取り出し、受信情報を、その取り出した宛先情報を適用し、上記ローカルエリアネットワークを介して送信し、受信時に適用された上記ダイアルイン電話番号に対応して上記宛先情報が登録されていないときには、受信情報をローカルに出力するようにしたものである。
【００２１】
また、ＰＳＴＮに接続してファクシミリ画情報をやりとりするグループ３ファクシミリ通信機能と、上記ＰＳＴＮを介して受信した情報を、上記ローカルエリアネットワークに接続された他のデータ端末へ転送する機能を備えたデータ通信端末装置において、複数のサブアドレスを設定するとともに、それぞれの上記サブアドレスには、上記ローカルエリアネットワークの宛先情報を登録し、上記ＰＳＴＮから発呼されて情報を受信すると、その受信時のグループ３ファクシミリ伝送手順により相手端末より通知された上記サブアドレスに対応して登録された上記宛先情報を取り出し、受信情報を、その取り出した宛先情報を適用し、上記ローカルエリアネットワークを介して送信するようにしたものである。
【００２２】
また、ＰＳＴＮに接続してファクシミリ画情報をやりとりするグループ３ファクシミリ通信機能と、ローカルエリアネットワークに接続して通信する機能を備え、上記ＰＳＴＮを介して受信した情報を、上記ローカルエリアネットワークに接続された他のデータ端末へ転送する機能を備えたデータ通信端末装置において、複数のサブアドレスを設定するとともに、特定の上記サブアドレスには全宛先への転送を登録するとともに、他のそれぞれの上記サブアドレスには、上記ローカルエリアネットワークの宛先情報を登録し、上記ＰＳＴＮから発呼されて情報を受信すると、その受信時のグループ３ファクシミリ伝送手順により相手端末より通知された上記サブアドレスが上記特定のサブアドレスの場合には、他のそれぞれのサブアドレスに対応して登録された複数の上記宛先情報を取り出し、受信情報を、その取り出した複数の宛先情報を適用し、上記ローカルエリアネットワークを介して送信し、その受信時に適用された上記サブアドレスが上記特定のサブアドレス以外の場合には、そのサブアドレスに対応して登録された上記宛先情報を取り出し、受信情報を、その取り出した宛先情報を適用し、上記ローカルエリアネットワークを介して送信するようにしたものである。
【００２３】
また、ＰＳＴＮに接続してファクシミリ画情報をやりとりするグループ３ファクシミリ通信機能と、ローカルエリアネットワークに接続して通信する機能を備え、上記ＰＳＴＮを介して受信した情報を、上記ローカルエリアネットワークに接続された他のデータ端末へ転送する機能を備えたデータ通信端末装置において、複数のサブアドレスを設定し、特定のサブアドレスには緊急時宛先情報を登録するとともに、他のそれぞれのサブアドレスには、上記ローカルエリアネットワークの宛先情報を登録し、上記ＰＳＴＮから発呼されて情報を受信すると、その受信時のグループ３ファクシミリ伝送手順により相手端末より通知された上記サブアドレスが上記特定のサブアドレスの場合には、その受信情報を自端末側で出力するとともに、上記特定のサブアドレスに対応して登録された上記緊急時宛先情報を取り出し、受信情報を、その取り出した緊急時宛先情報を適用し、上記ローカルエリアネットワークを介して送信し、その受信時に適用された上記サブアドレスが上記特定のサブアドレス以外の場合には、そのサブアドレスに対応して登録された上記宛先情報を取り出し、受信情報を、その取り出した宛先情報を適用し、上記ローカルエリアネットワークを介して送信するようにしたものである。
【００２４】
また、ＰＳＴＮに接続してファクシミリ画情報をやりとりするグループ３ファクシミリ通信機能と、ローカルエリアネットワークに接続して通信する機能を備え、上記ＰＳＴＮを介して受信した情報を、上記ローカルエリアネットワークに接続された他のデータ端末へ転送する機能を備えたデータ通信端末装置において、複数のサブアドレスを設定し、その複数の一部のサブアドレスには、上記ローカルエリアネットワークの宛先情報を登録し、上記ＰＳＴＮから発呼されて情報を受信すると、その受信時のグループ３ファクシミリ伝送手順により相手端末より通知された上記サブアドレスに対応して上記宛先情報が登録されているときには、その登録された上記宛先情報を取り出し、受信情報を、その取り出した宛先情報を適用し、上記ローカルエリアネットワークを介して送信し、受信時に適用された上記サブアドレスに対応して上記宛先情報が登録されていないときには、受信情報をローカルに出力するようにしたものである。
【００２５】
また、前記ローカルエリアネットワークは、インターネットへ接続され、前記ローカルエリアネットワークの宛先情報は、上記インターネットにおける宛先情報を含む。
【００２６】
また、第１のネットワークに接続して通信する機能と、第２のネットワークに接続して通信する機能を備え、上記第１のネットワークを介して受信した情報を、上記第２のネットワークに接続された他のデータ端末へ転送する機能を備えたデータ通信端末装置の通信制御方法において、上記第１のネットワークについて、端末指定情報を複数有し、その複数の端末指定情報のおのおのに、上記第２のネットワークの宛先情報を登録し、上記第１のネットワークから情報を受信すると、その受信時に適用された上記端末指定情報に対応して登録された上記宛先情報を取り出し、受信情報を、その取り出した宛先情報を適用し、上記第２のネットワークを介して送信するようにしたものである。
【００２７】
また、ＩＳＤＮに接続してファクシミリ画情報をやりとりするグループ４ファクシミリ通信機能と、ローカルエリアネットワークに接続して通信する機能を備え、上記ＩＳＤＮを介して受信した情報を、上記ローカルエリアネットワークに接続された他のデータ端末へ転送する機能を備えたデータ通信端末装置の通信制御方法において、上記ＩＳＤＮについて、複数の電話番号を契約するとともに、それぞれの電話番号には、上記ローカルエリアネットワークの宛先情報を登録し、上記ＩＳＤＮから発呼されて情報を受信すると、その受信時に適用された上記電話番号に対応して登録された上記宛先情報を取り出し、受信情報を、その取り出した宛先情報を適用し、上記ローカルエリアネットワークを介して送信するようにしたものである。
【００２８】
また、ＩＳＤＮに接続してファクシミリ画情報をやりとりするグループ４ファクシミリ通信機能と、ローカルエリアネットワークに接続して通信する機能を備え、上記ＩＳＤＮを介して受信した情報を、上記ローカルエリアネットワークに接続された他のデータ端末へ転送する機能を備えたデータ通信端末装置の通信制御方法において、上記ＩＳＤＮについて、複数の電話番号を契約し、特定の電話番号には全宛先への転送を登録するとともに、他のそれぞれの電話番号には、上記ローカルエリアネットワークの宛先情報を登録し、上記ＩＳＤＮから発呼されて情報を受信すると、その受信時に適用された上記電話番号が上記特定の電話番号の場合には、他のそれぞれの電話番号に対応して登録された複数の上記宛先情報を取り出し、受信情報を、その取り出した複数の宛先情報を適用し、上記ローカルエリアネットワークを介して送信し、その受信時に適用された上記電話番号が上記特定の電話番号以外の場合には、その電話番号に対応して登録された上記宛先情報を取り出し、受信情報を、その取り出した宛先情報を適用し、上記ローカルエリアネットワークを介して送信するようにしたものである。
【００２９】
また、ＩＳＤＮに接続してファクシミリ画情報をやりとりするグループ４ファクシミリ通信機能と、ローカルエリアネットワークに接続して通信する機能を備え、上記ＩＳＤＮを介して受信した情報を、上記ローカルエリアネットワークに接続された他のデータ端末へ転送する機能を備えたデータ通信端末装置の通信制御方法において、上記ＩＳＤＮについて、複数の電話番号を契約し、特定の電話番号には緊急時宛先情報を登録するとともに、他のそれぞれの電話番号には、上記ローカルエリアネットワークの宛先情報を登録し、上記ＩＳＤＮから発呼されて情報を受信すると、その受信時に適用された上記電話番号が上記特定の電話番号の場合には、その受信情報を自端末側で出力するとともに、上記特定の電話番号に対応して登録された上記緊急時宛先情報を取り出し、受信情報を、その取り出した緊急時宛先情報を適用し、上記ローカルエリアネットワークを介して送信し、その受信時に適用された上記電話番号が上記特定の電話番号以外の場合には、その電話番号に対応して登録された上記宛先情報を取り出し、受信情報を、その取り出した宛先情報を適用し、上記ローカルエリアネットワークを介して送信するようにしたものである。
【００３０】
また、ＩＳＤＮに接続してファクシミリ画情報をやりとりするグループ４ファクシミリ通信機能と、ローカルエリアネットワークに接続して通信する機能を備え、上記ＩＳＤＮを介して受信した情報を、上記ローカルエリアネットワークに接続された他のデータ端末へ転送する機能を備えたデータ通信端末装置の通信制御方法において、上記ＩＳＤＮについて、複数の電話番号を契約するとともに、その複数の一部の電話番号には、上記ローカルエリアネットワークの宛先情報を登録し、上記ＩＳＤＮから発呼されて情報を受信すると、その受信時に適用された上記電話番号に対応して上記宛先情報が登録されているときには、その登録された上記宛先情報を取り出し、受信情報を、その取り出した宛先情報を適用し、上記ローカルエリアネットワークを介して送信し、受信時に適用された上記電話番号に対応して上記宛先情報が登録されていないときには、受信情報をローカルに出力するようにしたものである。
【００３１】
また、ＩＳＤＮに接続してファクシミリ画情報をやりとりするグループ４ファクシミリ通信機能と、上記ＩＳＤＮを介して受信した情報を、上記ローカルエリアネットワークに接続された他のデータ端末へ転送する機能を備えたデータ通信端末装置の通信制御方法において、上記ＩＳＤＮについて、複数のサブアドレスを設定するとともに、それぞれの上記サブアドレスには、上記ローカルエリアネットワークの宛先情報を登録し、上記ＩＳＤＮから発呼されて情報を受信すると、その受信時に適用された上記サブアドレスに対応して登録された上記宛先情報を取り出し、受信情報を、その取り出した宛先情報を適用し、上記ローカルエリアネットワークを介して送信するようにしたものである。
【００３２】
また、ＩＳＤＮに接続してファクシミリ画情報をやりとりするグループ４ファクシミリ通信機能と、ローカルエリアネットワークに接続して通信する機能を備え、上記ＩＳＤＮを介して受信した情報を、上記ローカルエリアネットワークに接続された他のデータ端末へ転送する機能を備えたデータ通信端末装置の通信制御方法において、上記ＩＳＤＮについて、複数のサブアドレスを設定するとともに、特定の上記サブアドレスには全宛先への転送を登録するとともに、他のそれぞれの上記サブアドレスには、上記ローカルエリアネットワークの宛先情報を登録し、上記ＩＳＤＮから発呼されて情報を受信すると、その受信時に適用された上記サブアドレスが上記特定のサブアドレスの場合には、他のそれぞれのサブアドレスに対応して登録された複数の上記宛先情報を取り出し、受信情報を、その取り出した複数の宛先情報を適用し、上記ローカルエリアネットワークを介して送信し、その受信時に適用された上記サブアドレスが上記特定のサブアドレス以外の場合には、そのサブアドレスに対応して登録された上記宛先情報を取り出し、受信情報を、その取り出した宛先情報を適用し、上記ローカルエリアネットワークを介して送信するようにしたものである。
【００３３】
また、ＩＳＤＮに接続してファクシミリ画情報をやりとりするグループ４ファクシミリ通信機能と、ローカルエリアネットワークに接続して通信する機能を備え、上記ＩＳＤＮを介して受信した情報を、上記ローカルエリアネットワークに接続された他のデータ端末へ転送する機能を備えたデータ通信端末装置の通信制御方法において、上記ＩＳＤＮについて、複数のサブアドレスを設定し、特定のサブアドレスには緊急時宛先情報を登録するとともに、他のそれぞれのサブアドレスには、上記ローカルエリアネットワークの宛先情報を登録し、上記ＩＳＤＮから発呼されて情報を受信すると、その受信時に適用された上記サブアドレスが上記特定のサブアドレスの場合には、その受信情報を自端末側で出力するとともに、上記特定のサブアドレスに対応して登録された上記緊急時宛先情報を取り出し、受信情報を、その取り出した緊急時宛先情報を適用し、上記ローカルエリアネットワークを介して送信し、その受信時に適用された上記サブアドレスが上記特定のサブアドレス以外の場合には、そのサブアドレスに対応して登録された上記宛先情報を取り出し、受信情報を、その取り出した宛先情報を適用し、上記ローカルエリアネットワークを介して送信するようにしたものである。
【００３４】
また、ＩＳＤＮに接続してファクシミリ画情報をやりとりするグループ４ファクシミリ通信機能と、ローカルエリアネットワークに接続して通信する機能を備え、上記ＩＳＤＮを介して受信した情報を、上記ローカルエリアネットワークに接続された他のデータ端末へ転送する機能を備えたデータ通信端末装置の通信制御方法において、上記ＩＳＤＮについて、複数のサブアドレスを設定し、その複数の一部のサブアドレスには、上記ローカルエリアネットワークの宛先情報を登録し、上記ＩＳＤＮから発呼されて情報を受信すると、その受信時に適用された上記サブアドレスに対応して上記宛先情報が登録されているときには、その登録された上記宛先情報を取り出し、受信情報を、その取り出した宛先情報を適用し、上記ローカルエリアネットワークを介して送信し、受信時に適用された上記サブアドレスに対応して上記宛先情報が登録されていないときには、受信情報をローカルに出力するようにしたものである。
【００３５】
また、ＩＳＤＮに接続してファクシミリ画情報をやりとりするグループ４ファクシミリ通信機能と、ローカルエリアネットワークに接続して通信する機能を備え、上記ＩＳＤＮを介して受信した情報を、上記ローカルエリアネットワークに接続された他のデータ端末へ転送する機能を備えたデータ通信端末装置の通信制御方法において、上記ＩＳＤＮについて、複数の電話番号を契約するとともに、それぞれの電話番号には、上記ローカルエリアネットワークの宛先情報を登録し、上記ＩＳＤＮから発呼されて情報を受信すると、その受信時に適用された上記電話番号に対応して登録された上記宛先情報を取り出し、受信情報を、その取り出した宛先情報を適用し、上記ローカルエリアネットワークを介して送信するようにしたものである。
【００３６】
また、ＰＳＴＮに接続してファクシミリ画情報をやりとりするグループ３ファクシミリ通信機能と、ローカルエリアネットワークに接続して通信する機能を備え、上記ＰＳＴＮを介して受信した情報を、上記ローカルエリアネットワークに接続された他のデータ端末へ転送する機能を備えたデータ通信端末装置の通信制御方法において、上記ＰＳＴＮについて、複数のダイアルイン電話番号を契約し、特定のダイアルイン電話番号には全宛先への転送を登録するとともに、他のそれぞれのダイアルイン電話番号には、上記ローカルエリアネットワークの宛先情報を登録し、上記ＰＳＴＮから発呼されて情報を受信すると、その受信時に適用された上記ダイアルイン電話番号が上記特定のダイアルイン電話番号の場合には、他のそれぞれのダイアルイン電話番号に対応して登録された複数の上記宛先情報を取り出し、受信情報を、その取り出した複数の宛先情報を適用し、上記ローカルエリアネットワークを介して送信し、その受信時に適用された上記ダイアルイン電話番号が上記特定のダイアルイン電話番号以外の場合には、そのダイアルイン電話番号に対応して登録された上記宛先情報を取り出し、受信情報を、その取り出した宛先情報を適用し、上記ローカルエリアネットワークを介して送信するようにしたものである。
【００３７】
また、ＰＳＴＮに接続してファクシミリ画情報をやりとりするグループ３ファクシミリ通信機能と、ローカルエリアネットワークに接続して通信する機能を備え、上記ＰＳＴＮを介して受信した情報を、上記ローカルエリアネットワークに接続された他のデータ端末へ転送する機能を備えたデータ通信端末装置の通信制御方法において、上記ＰＳＴＮについて、複数のダイアルイン電話番号を契約し、特定のダイアルイン電話番号には緊急時宛先情報を登録するとともに、他のそれぞれのダイアルイン電話番号には、上記ローカルエリアネットワークの宛先情報を登録し、上記ＰＳＴＮから発呼されて情報を受信すると、その受信時に適用された上記ダイアルイン電話番号が上記特定のダイアルイン電話番号の場合には、その受信情報を自端末側で出力するとともに、上記特定のダイアルイン電話番号に対応して登録された上記緊急時宛先情報を取り出し、受信情報を、その取り出した緊急時宛先情報を適用し、上記ローカルエリアネットワークを介して送信し、その受信時に適用された上記ダイアルイン電話番号が上記特定のダイアルイン電話番号以外の場合には、そのダイアルイン電話番号に対応して登録された上記宛先情報を取り出し、受信情報を、その取り出した宛先情報を適用し、上記ローカルエリアネットワークを介して送信するようにしたものである。
【００３８】
また、ＰＳＴＮに接続してファクシミリ画情報をやりとりするグループ３ファクシミリ通信機能と、ローカルエリアネットワークに接続して通信する機能を備え、上記ＰＳＴＮを介して受信した情報を、上記ローカルエリアネットワークに接続された他のデータ端末へ転送する機能を備えたデータ通信端末装置の通信制御方法において、上記ＰＳＴＮについて、複数のダイアルイン電話番号を契約するとともに、その複数の一部のダイアルイン電話番号には、上記ローカルエリアネットワークの宛先情報を登録し、上記ＰＳＴＮから発呼されて情報を受信すると、その受信時に適用された上記ダイアルイン電話番号に対応して上記宛先情報が登録されているときには、その登録された上記宛先情報を取り出し、受信情報を、その取り出した宛先情報を適用し、上記ローカルエリアネットワークを介して送信し、受信時に適用された上記ダイアルイン電話番号に対応して上記宛先情報が登録されていないときには、受信情報をローカルに出力するようにしたものである。
【００３９】
また、ＰＳＴＮに接続してファクシミリ画情報をやりとりするグループ３ファクシミリ通信機能と、上記ＰＳＴＮを介して受信した情報を、上記ローカルエリアネットワークに接続された他のデータ端末へ転送する機能を備えたデータ通信端末装置の通信制御方法において、複数のサブアドレスを設定するとともに、それぞれの上記サブアドレスには、上記ローカルエリアネットワークの宛先情報を登録し、上記ＰＳＴＮから発呼されて情報を受信すると、その受信時のグループ３ファクシミリ伝送手順により相手端末より通知された上記サブアドレスに対応して登録された上記宛先情報を取り出し、受信情報を、その取り出した宛先情報を適用し、上記ローカルエリアネットワークを介して送信するようにしたものである。
【００４０】
また、ＰＳＴＮに接続してファクシミリ画情報をやりとりするグループ３ファクシミリ通信機能と、ローカルエリアネットワークに接続して通信する機能を備え、上記ＰＳＴＮを介して受信した情報を、上記ローカルエリアネットワークに接続された他のデータ端末へ転送する機能を備えたデータ通信端末装置の通信制御方法において、複数のサブアドレスを設定するとともに、特定の上記サブアドレスには全宛先への転送を登録するとともに、他のそれぞれの上記サブアドレスには、上記ローカルエリアネットワークの宛先情報を登録し、上記ＰＳＴＮから発呼されて情報を受信すると、その受信時のグループ３ファクシミリ伝送手順により相手端末より通知された上記サブアドレスが上記特定のサブアドレスの場合には、他のそれぞれのサブアドレスに対応して登録された複数の上記宛先情報を取り出し、受信情報を、その取り出した複数の宛先情報を適用し、上記ローカルエリアネットワークを介して送信し、その受信時に適用された上記サブアドレスが上記特定のサブアドレス以外の場合には、そのサブアドレスに対応して登録された上記宛先情報を取り出し、受信情報を、その取り出した宛先情報を適用し、上記ローカルエリアネットワークを介して送信するようにしたものである。
【００４１】
また、ＰＳＴＮに接続してファクシミリ画情報をやりとりするグループ３ファクシミリ通信機能と、ローカルエリアネットワークに接続して通信する機能を備え、上記ＰＳＴＮを介して受信した情報を、上記ローカルエリアネットワークに接続された他のデータ端末へ転送する機能を備えたデータ通信端末装置に制御方法において、複数のサブアドレスを設定し、特定のサブアドレスには緊急時宛先情報を登録するとともに、他のそれぞれのサブアドレスには、上記ローカルエリアネットワークの宛先情報を登録し、上記ＰＳＴＮから発呼されて情報を受信すると、その受信時のグループ３ファクシミリ伝送手順により相手端末より通知された上記サブアドレスが上記特定のサブアドレスの場合には、その受信情報を自端末側で出力するとともに、上記特定のサブアドレスに対応して登録された上記緊急時宛先情報を取り出し、受信情報を、その取り出した緊急時宛先情報を適用し、上記ローカルエリアネットワークを介して送信し、その受信時に適用された上記サブアドレスが上記特定のサブアドレス以外の場合には、そのサブアドレスに対応して登録された上記宛先情報を取り出し、受信情報を、その取り出した宛先情報を適用し、上記ローカルエリアネットワークを介して送信するようにしたものである。
【００４２】
また、ＰＳＴＮに接続してファクシミリ画情報をやりとりするグループ３ファクシミリ通信機能と、ローカルエリアネットワークに接続して通信する機能を備え、上記ＰＳＴＮを介して受信した情報を、上記ローカルエリアネットワークに接続された他のデータ端末へ転送する機能を備えたデータ通信端末装置の通信制御方法において、複数のサブアドレスを設定し、その複数の一部のサブアドレスには、上記ローカルエリアネットワークの宛先情報を登録し、上記ＰＳＴＮから発呼されて情報を受信すると、その受信時のグループ３ファクシミリ伝送手順により相手端末より通知された上記サブアドレスに対応して上記宛先情報が登録されているときには、その登録された上記宛先情報を取り出し、受信情報を、その取り出した宛先情報を適用し、上記ローカルエリアネットワークを介して送信し、受信時に適用された上記サブアドレスに対応して上記宛先情報が登録されていないときには、受信情報をローカルに出力するようにしたものである。
【００４３】
また、前記ローカルエリアネットワークは、インターネットへ接続され、前記ローカルエリアネットワークの宛先情報は、上記インターネットにおける宛先情報を含む。
【発明の効果】
【００４４】
したがって、本発明によれば、着番号配信テーブルに属性として「転送」が登録されているＩＳＤＮ番号が、着番号として通知されている場合には、そのＩＳＤＮ番号に登録されているメールアドレスに対し、受信した画情報を運ぶ電子メールが送信されるので、このネットワークファクシミリ装置ＦＸに対して、転送画情報を送信しようとするグループ４ファクシミリ装置のユーザは、転送先に対応したＩＳＤＮ番号を着番号に指定するだけで、所望する転送先へ画情報を転送させることができ、転送送信操作時の操作の手間を大幅に軽減することができ、非常に便利であるという効果を得る。
【００４５】
また、着番号配信テーブルに属性として「緊急時宛先」が登録されているＩＳＤＮ番号が、着番号として通知されている場合には、そのときの受信画情報の原稿がローカルに記録出力されるとともに、そのＩＳＤＮ番号に登録されているメールアドレスに対し、受信した画情報を運ぶ緊急連絡用の電子メールが送信されるので、ネットワークファクシミリ装置ＦＸにおいて、受信原稿が記録出力されるので、ネットワークファクシミリ装置ＦＸのユーザに対しても緊急連絡の情報を提供することができ、より信頼性の高い緊急連絡通信を行うことができ、非常に便利であるという効果も得る。
【００４６】
また、着番号配信テーブルに属性として「全宛先」が登録されているＩＳＤＮ番号が、着番号として通知されている場合には、着番号配信テーブルに登録されている全ての転送宛先のメールアドレスについて、受信した画情報を運ぶ電子メールが送信されるので、このネットワークファクシミリ装置ＦＸに対して、多数の転送先を指定して転送画情報を送信しようとするグループ４ファクシミリ装置のユーザは、「全宛先」に対応したＩＳＤＮ番号を着番号に指定するだけで、このネットワークファクシミリ装置ＦＸに登録されている全ての転送宛先へ画情報を転送させることができ、転送送信操作時の操作の手間を大幅に軽減することができ、非常に便利である。非常に便利であるという効果も得る。
【００４７】
また、ダイアルイン番号配信テーブルに属性として「転送」が登録されているダイアルイン番号が、着信時のダイアルイン番号として通知されている場合には、そのダイアル番号に登録されているメールアドレスに対し、受信した画情報を運ぶ電子メールが送信されるので、このネットワークファクシミリ装置ＦＸａに対して、転送画情報を送信しようとするグループ３ファクシミリ装置のユーザは、転送先に対応したダイアルイン番号を着番号に指定するだけで、所望する転送先へ画情報を転送させることができ、転送送信操作時の操作の手間を大幅に軽減することができ、非常に便利であるという効果も得る。
【００４８】
また、ダイアルイン番号配信テーブルに属性として「緊急時宛先」が登録されているダイアルイン番号が、着信時のダイアルイン号として通知されている場合には、そのときの受信画情報の原稿がローカルに記録出力されるとともに、そのダイアルイン番号に登録されているメールアドレスに対し、受信した画情報を運ぶ緊急連絡用の電子メールが送信されるので、ネットワークファクシミリ装置ＦＸａにおいて、受信原稿が記録出力されるので、ネットワークファクシミリ装置ＦＸａのユーザに対しても緊急連絡の情報を提供することができ、より信頼性の高い緊急連絡通信を行うことができ、非常に便利であるという効果も得る。
【００４９】
また、ダイアルイン番号配信テーブルに属性として「全宛先」が登録されているダイアルイン番号が、着信時のダイアルイン号として通知されている場合には、ダイアルイン番号配信テーブルに登録されている全ての転送宛先のメールアドレスについて、受信した画情報を運ぶ電子メールが送信されるので、このネットワークファクシミリ装置ＦＸａに対して、多数の転送先を指定して転送画情報を送信しようとするグループ３ファクシミリ装置のユーザは、「全宛先」に対応したダイアルイン番号を着番号に指定するだけで、このネットワークファクシミリ装置ＦＸａに登録されている全ての転送宛先へ画情報を転送させることができ、その結果、転送送信操作時の操作の手間を大幅に軽減することができ、非常に便利であるという効果も得る。
【００５０】
また、ダイアルイン番号による配信が設定されていない場合には、従来と同様に、信号ＳＵＢにより通知されるサブアドレスによる配信動作が行われるので、このネットワークファクシミリ装置ＦＸａの特別な機能を知らない送信側のユーザでも、従来と同様の操作により、所望する宛先へ画情報を転送させることができるので、非常に便利であるという効果も得る。
【００５１】
また、サブアドレス配信テーブルに属性として「緊急時宛先」が登録されているサブアドレスが、着サブアドレスとして通知されている場合には、そのときの受信画情報の原稿がローカルに記録出力されるとともに、そのサブアドレスに登録されているメールアドレスに対し、受信した画情報を運ぶ緊急連絡用の電子メールが送信されるので、ネットワークファクシミリ装置ＦＸａにおいて、受信原稿が記録出力されるので、ネットワークファクシミリ装置ＦＸａのユーザに対しても緊急連絡の情報を提供することができ、より信頼性の高い緊急連絡通信を行うことができ、非常に便利であるという効果も得る。
【００５２】
また、サブアドレス配信テーブルに属性として「全宛先」が登録されているサブアドレスが、着サブアドレスとして通知されている場合には、サブアドレス配信テーブルに登録されている全ての転送宛先のメールアドレスについて、受信した画情報を運ぶ電子メールが送信されるので、このネットワークファクシミリ装置ＦＸａに対して、多数の転送先を指定して転送画情報を送信しようとするグループ３ファクシミリ装置のユーザは、「全宛先」に対応したサブアドレスを着サブアドレスに指定するだけで、このネットワークファクシミリ装置ＦＸａに登録されている全ての転送宛先へ画情報を転送させることができ、ユーザの転送送信操作時の操作の手間を大幅に軽減することができ、非常に便利であるという効果も得る。
【発明を実施するための最良の形態】
【００５３】
以下、添付図面を参照しながら、本発明の実施の形態を詳細に説明する。
【００５４】
図１は、本発明の一実施例にかかるネットワークシステムを示している。
【００５５】
同図において、ローカルエリアネットワークＬＡＮには、複数のワークステーション装置ＷＳ１〜ＷＳｎ、メールサーバ装置ＳＭ、および、ネットワークファクシミリ装置ＦＸが接続されている。また、ローカルエリアネットワークＬＡＮは、ルータ装置ＲＴを介して、インターネットへと接続されている。したがって、ワークステーション装置ＷＳ１〜ＷＳｎ、メールサーバ装置ＳＭ、および、ネットワークファクシミリ装置ＦＸは、インターネットを介し、他の適宜な端末装置との間でデータをやりとりすることができる。
【００５６】
ここで、メールサーバ装置ＳＭは、ローカルエリアネットワークＬＡＮに接続されているワークステーション装置ＷＳ１〜ＷＳｎを利用するユーザ、および、ネットワークネットワークファクシミリ装置ＦＸに対して、周知の電子メールの収集および配布のサービスを提供するものである。
【００５７】
また、ワークステーション装置ＷＳ１〜ＷＳｎには、ファクシミリ画情報を表示出力するアプリケーションソフトウェア、および、ローカルエリアネットワークＬＡＮを介して種々のデータのやりとりを行うための種々のソフトウェアなどの種々のプログラムが導入されており、特定のユーザにより使用されるものである。ここで、特定のユーザは、一人または複数人のユーザであってよい。
【００５８】
また、ネットワークファクシミリ装置ＦＸは、デジタル公衆網ＩＳＤＮに接続し、このデジタル公衆網ＩＳＤＮを伝送路として用いてグループ４ファクシミリ伝送手順による画情報伝送を行う伝送機能、および、ローカルエリアネットワークＬＡＮに接続したワークステーション装置ＷＳ１〜ＷＳｎに対して、画情報を電子メールとしてやりとりする際に適用される電子メール処理機能などの種々の機能を備えている。
【００５９】
また、このネットワークシステムでは、ネットワークファクシミリ装置ＦＸ、および、ＩＳＤＮ端末装置ＴＭ１〜ＴＭｍは、受動バスＰＢに接続され、この受動バスＰＢは、網終端装置ＤＳＵを介して、デジタル公衆網ＩＳＤＮに接続されている。
【００６０】
図２は、ネットワークファクシミリ装置ＦＸの構成例を示している。
【００６１】
同図において、制御部１は、主としてこのネットワークファクシミリ装置ＦＸの各部の制御処理を行うものであり、システムメモリ２は、制御部１が実行する制御処理プログラム、および、処理プログラムを実行するときに必要な各種データなどを記憶するとともに、制御部１のワークエリアを構成するものであり、パラメータメモリ３は、このネットワークファクシミリ装置ＦＸに固有な各種の情報を記憶するためのものであり、時計回路４は、現在時刻情報等を出力するためのものである。
【００６２】
スキャナ５は、所定の解像度で原稿画像を読み取るためのものであり、プロッタ６は、所定の解像度で画像を記録出力するためのものであり、操作表示部７は、このファクシミリ装置を操作するためのもので、各種の操作キー、および、各種の表示器からなる。
【００６３】
符号化復号化部８は、所定の符号化方式で画信号を符号化圧縮するとともに、符号化圧縮されている画情報を元の画信号に復号化するためのものであり、画像蓄積装置９は、符号化圧縮された状態の画情報を多数記憶するためのものである。
【００６４】
ＩＳＤＮインタフェース回路１０は、このネットワークファクシミリ装置ＦＸをデジタル公衆網ＩＳＤＮに接続するとともに、レイヤ１の信号処理機能およびＤチャネル（信号チャネル）の信号と２つのＢチャネル（情報チャネル）の信号の統合／分離機能を備えたものであり、Ｄチャネル伝送制御部１１は、呼設定／呼解放手順処理などＩＳＤＮのＤチャネル上の信号処理を実行するためのものであり、Ｂチャネル伝送制御部１２，１３は、Ｂチャネル上で行うグループ４ファクシミリ伝送手順機能を実現するためのものである。
【００６５】
ローカルエリアネットワークインターフェース回路１４は、このネットワークファクシミリ装置ＦＸをローカルエリアネットワークＬＡＮに接続するためのものであり、ローカルエリアネットワーク伝送制御部１５は、ローカルエリアネットワークＬＡＮを介して、他のデータ端末装置との間で種々のデータをやりとりするための各種所定のプロトコルスイートの通信制御処理を実行するためのものである。
【００６６】
これらの、制御部１、システムメモリ２、パラメータメモリ３、スキャナ４、プロッタ５、操作表示部６、符号化復号化部７、画像蓄積装置８、Ｄチャネル伝送制御部、Ｂチャネル伝送制御部１１，１２、および、ローカルエリアネットワーク伝送制御部１５は、システムバス１６に接続されており、これらの各要素間でのデータのやりとりは、主としてこのシステムバス１６を介して行われている。
【００６７】
さて、本実施例では、網終端装置ＤＳＵにおいて、ユーザ側インタフェースに複数の電話番号（ＩＳＤＮ番号）を契約している。例えば、図３に示すように、１２３−００００，１２３−０００１，１２３−０００２，１２３−０００３，１２３−０００４，１２３−０００５，１２３−０００６の７個のＩＳＤＮ番号が契約され、このうち、１２３−００００が代表番号であり、着番号が非通知に設定され、他の１２３−０００１，１２３−０００２，１２３−０００３，１２３−０００４，１２３−０００５，１２３−０００６については、着番号が通知に設定されている。
【００６８】
また、これらのＩＳＤＮ番号のうち、ネットワークファクシミリ装置ＦＸが着呼応答するＩＳＤＮ番号は、例えば、図４に示すような着呼応答番号テーブルに登録される。この場合には、１２３−０００１〜１２３−０００５が登録されている。
【００６９】
そして、本実施例では、おのおののＩＳＤＮ番号について受信した画情報を転送する転送先のメールアドレスが、図５に示すような着番号配信テーブルに登録される。
【００７０】
この場合、着番号配信テーブルには、ＩＳＤＮ番号の１２３−０００１，１２３−０００２，１２３−０００３については、それぞれ属性として、画情報の転送を指示する旨を表す「転送」が登録されるとともに、対応するメールアドレスａａａ＠ｆａｘ．ｃｏ．ｊｐ，ｂｂｂ＠ｆａｘ．ｃｏ．ｊｐ，ｃｃｃ＠ｆａｘ．ｃｏ．ｊｐが「アドレス」として登録されている。
【００７１】
また、ＩＳＤＮ番号の１２３−０００４については、属性として、他のＩＳＤＮ番号に登録されている全てのメールアドレスについて転送先を指示する旨を表す「全宛先」が設定されており、また、ＩＳＤＮ番号の１２３−０００５については、属性として、緊急時の宛先をあらわす「緊急時宛先」が登録され、「アドレス」として、例えば、緊急時連絡先であるメールアドレス「ａａａ＠ｆａｘ．ｃｏ．ｊｐ」が登録される。
【００７２】
一方、本実施例では、ネットワークファクシミリ装置ＦＸについて、ＩＳＤＮ番号（着番号）による転送先の指定と、サブアドレスによる転送先の指定のいずれかを選択できるようにしており、サブアドレスによる転送先の指定が選択されている場合には、図６に示すサブアドレス配信テーブルが参照される。
【００７３】
この場合、サブアドレス配信テーブルには、「０００１」〜「０００５」の５個のサブアドレスが登録されており、サブアドレス「０００１」〜「０００３」については、それぞれ属性として、画情報の転送を指示する旨を表す「転送」が登録されるとともに、対応するメールアドレスａａａ＠ｆａｘ．ｃｏ．ｊｐ，ｂｂｂ＠ｆａｘ．ｃｏ．ｊｐ，ｃｃｃ＠ｆａｘ．ｃｏ．ｊｐが「アドレス」として登録されている。
【００７４】
また、サブアドレス「０００４」については、属性として、他のサブアドレスに登録されている全てのメールアドレスについて転送先を指示する旨を表す「全宛先」が設定されており、また、サブアドレス「０００５」については、属性として、緊急時の宛先をあらわす「緊急時宛先」が登録され、「アドレス」として、例えば、緊急時連絡先であるメールアドレス「ａａａ＠ｆａｘ．ｃｏ．ｊｐ」が登録される。
【００７５】
ここで、本実施例において、基本的には、ローカルエリアネットワークＬＡＮおよびインターネットにおけるデータのやりとりは、いわゆるＴＣＰ／ＩＰと呼ばれるトランスポートレイヤまでの伝送プロトコルと、それ以上の上位レイヤの通信プロトコルとの組み合わせ（いわゆるプロトコルスイート）が適用して行われる。例えば、電子メールのデータのやりとりでは上位レイヤの通信プロトコルとしてＳＭＴＰ（Ｓｉｍｐｌｅ  Ｍａｉｌ  Ｔｒａｎｓｆｅｒ  Ｐｒｏｔｏｃｏｌ）という通信プロトコルが適用される。
【００７６】
また、ＴＣＰ／ＩＰ，ＳＭＴＰなどの通信プロトコル、および、電子メールのデータ形式やデータ構造などについては、それぞれＩＥＴＦ（Ｉｎｔｅｒｎｅｔ  Ｅｎｇｉｎｅｅｒｉｎｇ  Ｔａｓｋ  Ｆｏｒｃｅ）というインターネットに関する技術内容をまとめている組織から発行されているＲＦＣ（Ｒｅｑｕｅｓｔ  Ｆｏｒ  Ｃｏｍｍｅｎｔｓ）文書により規定されている。例えば、ＴＣＰはＲＦＣ７９３、ＩＰはＲＦＣ７９３、ＳＭＴＰはＲＦＣ８２１、電子メールの形式は、ＲＦＣ８２２，ＲＦＣ１５２１，ＲＦＣ１５２２（ＭＩＭＥ（Ｍｕｌｔｉ  Ｐｕｒｐｏｓｅ  Ｍａｉｌ  Ｅｘｔｅｎｓｉｏｎ）形式）などでそれぞれ規定されている。
【００７７】
ここに、ファクシミリ画情報はバイナリデータであり、電子メールには、直接バイナリデータを含ませることができないので、所定の変換方法（例えば、Ｂａｓｅ６４符号化方法）を適用して可読情報（７ビットのキャラクタコード）に変換した状態で、電子メールに含められる。このような電子メールの本文情報の形式をＭＩＭＥ形式という。
【００７８】
このように、画情報を送信する際に用いられる電子メールの一例を図７に示す。
【００７９】
この電子メールは、複数の本文パートを持つマルチパートＭＩＭＥ形式の電子メールであり、電子メールの送信日付（「Ｄａｔｅ」フィールド）、宛先メールアドレス（「Ｔｏ」フィールド）、送信元メールアドレス（「Ｆｒｏｍ」フィールド）などの所定の情報からなるメールヘッダ部、テキストデータを運ぶためのテキストパート部、および、画情報を運ぶためのバイナリパート部からなり、バイナリパート部には、画情報をＭＩＭＥ変換して得たＭＩＭＥエンコードデータが配置される。
【００８０】
また、電子メールで運ばれる画情報は、元の画像データをＭＨ符号化で圧縮し、それをＴＩＦＦ−Ｆフォーマットへ変換したものであり、したがって、ＭＩＭＥエンコードデータとしては、このＴＩＦＦ−ＦデータをＭＩＭＥ変換したものが配置される。
【００８１】
ここで、ＴＩＦＦ−Ｆフォーマットでは、複数ページの画像データを１つのファイルとしてまとめることができるので、１つのバイナリパート部に、複数ページからなる１つの送信画情報ファイルのデータを配置することができる。
【００８２】
また、通常の転送先が指定された場合、メールヘッダ部の「Ｓｕｂｊｅｃｔ」フィールドには、図８に示すような「ファクシミリ受信通知」という文字列が配置され、また、緊急時宛先が指定された場合、メールヘッダ部の「Ｓｕｂｊｅｃｔ」フィールドには、図９に示すような「[緊急]ファクシミリ受信通知」という文字列が配置される。
【００８３】
これにより、電子メールを受け取ったユーザは、その電子メールがファクシミリ画情報を運ぶものであることを明確に知ることができるとともに、緊急通信にかかるファクシミリ画情報である旨も明確に知ることができる。
【００８４】
また、メールヘッダ部の「Ｆｒｏｍ」フィールドには、着信時にデジタル公衆網ＩＳＤＮから通知される発番号の内容が配置され、それにより、電子メールのユーザは、受信した画情報の発信元を明確に知ることができる。
【００８５】
図１０〜図１７は、着信検出時にこのネットワークファクシミリ装置ＦＸが実行する処理の一例を示している。
【００８６】
デジタル公衆網ＩＳＤＮから呼設定メッセージＳＥＴＵＰを受信して着信検出すると、そのときに着番号による配信が設定されているかどうかを調べる（判断１０１）。判断１０１の結果がＹＥＳになるときには、受信した呼設定メッセージＳＥＴＵＰに着番号が含まれているかどうかを調べる（判断１０２）。
【００８７】
受信した呼設定メッセージＳＥＴＵＰに着番号が含まれていない場合で、判断１０２の結果がＮＯになるときには、通常の着信時処理（処理１０３）を実行して、この着信検出時の動作を終了する。
【００８８】
また、受信した呼設定メッセージＳＥＴＵＰに着番号が含まれている場合で、判断１０２の結果がＹＥＳになるときには、着呼応答番号テーブルに着呼応答番号が登録されているかどうかを調べる（判断１０４）。
【００８９】
着呼応答番号テーブルに着呼応答番号が登録されている場合で、判断１０４の結果がＹＥＳになるときには、そのときの着番号が着呼応答番号テーブルに登録されているかどうかを調べ（判断１０５）、そのときの着番号が着呼応答番号テーブルに登録されていない場合で判断１０５の結果がＮＯになるときには、そのときの着呼を無視する（処理１０６）。
【００９０】
一方、そのときの着番号が着呼応答番号テーブルに登録されている場合で判断１０５の結果がＹＥＳになるとき、および、着呼応答番号テーブルに着呼応答番号が登録されていない場合で、判断１０４の結果がＮＯになるときには、着番号配信テーブルに登録された１つ以上の着番号（ＩＳＤＮ番号）について、属性として「転送」または「緊急時宛先」が登録されているかどうかを調べる（判断１０７）。
【００９１】
判断１０７の結果がＮＯになるときには、処理１０３へ移行し、通常の着信時処理を実行する。
【００９２】
また、判断１０７の結果がＹＥＳになるときには、着信応答し（処理１０８）、所定のグループ４ファクシミリ受信蓄積処理（処理１０９）を実行して、相手端末との間でグループ４ファクシミリ伝送動作を行い、受信した画情報を画像蓄積装置９に蓄積する。そして、画情報受信動作を終了すると、回線を解放する（処理１１０）。
【００９３】
次いで、そのときの着番号について、属性として「全宛先」が登録されているかどうかを調べ（判断１１１）、判断１１１の結果がＮＯになるときには、属性として「緊急時宛先」が登録されているかどうかを調べる（判断１１２）。
【００９４】
判断１１２の結果がＮＯになるときには、そのときの着番号について、属性として「転送」が登録されている場合なので、着番号配信テーブルより対応するメールアドレス（転送宛先のメールアドレス）を取得し（処理１１５）、電子メールのヘッダ情報を作成し（処理１１６）、そのときに蓄積した受信画情報をＴＩＦＦ形式の画像データへ変換し（処理１１７）、そのＴＩＦＦ形式の画像データをＭＩＭＥ変換して、電子メールの本文情報のバイナリパートのデータを作成し（処理１１８）、以上のようにして作成した電子メールを送信する（処理１１９）。
【００９５】
このようにして、着番号配信テーブルに属性として「転送」が登録されているＩＳＤＮ番号が、着番号として通知されている場合には、そのＩＳＤＮ番号に登録されているメールアドレスに対し、受信した画情報を運ぶ電子メールが送信される。
【００９６】
また、そのときの着番号について、属性として「緊急時宛先」が登録されている場合で、判断１１２の結果がＹＥＳになるときには、画像蓄積装置９に蓄積した受信画情報を符号化複号化部８で元の画像データに復号化し（処理１２０）、それによって得た画像データをプロッタ６に転送して、受信原稿を記録出力する（処理１２１）。
【００９７】
次いで、着番号配信テーブルより対応するメールアドレス（緊急時宛先のメールアドレス）を取得し（処理１２２）、上述したような緊急時の電子メールのヘッダ情報を作成し（処理１２３）、そのときに蓄積した受信画情報をＴＩＦＦ形式の画像データへ変換し（処理１２４）、そのＴＩＦＦ形式の画像データをＭＩＭＥ変換して、電子メールのバイナリパートのデータを作成し（処理１２５）、以上のようにして作成した電子メールを送信する（処理１２６）。なお、このとき電子メールの本文情報のテキストパートのデータとして、緊急時連絡である旨をあらわす内容を含めることができる。
【００９８】
このようにして、着番号配信テーブルに属性として「緊急時宛先」が登録されているＩＳＤＮ番号が、着番号として通知されている場合には、そのときの受信画情報の原稿がローカルに記録出力されるとともに、そのＩＳＤＮ番号に登録されているメールアドレスに対し、受信した画情報を運ぶ緊急連絡用の電子メールが送信されるので、ネットワークファクシミリ装置ＦＸにおいて、受信原稿が記録出力されるので、ネットワークファクシミリ装置ＦＸのユーザに対しても緊急連絡の情報を提供することができ、より信頼性の高い緊急連絡通信を行うことができる。
【００９９】
また、そのときの着番号について、属性として「全宛先」が登録されている場合で、判断１１１の結果がＹＥＳになるときには、着番号配信テーブルより、属性の値に「転送」が登録されている全ての項目から対応するメールアドレス（転送宛先のメールアドレス）を取得し（処理１３０）、電子メールのヘッダ情報を作成し（処理１３１）、そのときに蓄積した受信画情報をＴＩＦＦ形式の画像データへ変換し（処理１３２）、そのＴＩＦＦ形式の画像データをＭＩＭＥ変換して、電子メールの本文情報のバイナリパートのデータを作成し（処理１３３）、以上のようにして作成した電子メールを送信する（処理１３４）。
【０１００】
このようにして、着番号配信テーブルに属性として「全宛先」が登録されているＩＳＤＮ番号が、着番号として通知されている場合には、着番号配信テーブルに登録されている全ての転送宛先のメールアドレスについて、受信した画情報を運ぶ電子メールが送信されるので、非常に便利である。
【０１０１】
一方、着番号による配信が設定されていない場合で、判断１０１の結果がＮＯになるときには、サブアドレスによる配信動作を行う。
【０１０２】
したがって、まず、受信した呼設定メッセージＳＥＴＵＰに着サブアドレスが含まれているかどうかを調べる（判断１４０）。
【０１０３】
受信した呼設定メッセージＳＥＴＵＰに着サブアドレスが含まれていない場合で、判断１４０の結果がＮＯになるときには、処理１０３へ移行し、通常の着信時処理を実行して、この着信検出時の動作を終了する。
【０１０４】
また、受信した呼設定メッセージＳＥＴＵＰに着サブアドレスが含まれている場合で、判断１４０の結果がＹＥＳになるときには、サブアドレス配信テーブルにサブアドレスが登録されているかどうかを調べる（判断１４１）。
【０１０５】
サブアドレス配信テーブルにサブアドレスが登録されている場合で、判断１４１の結果がＹＥＳになるときには、そのときの着サブアドレスがサブアドレス配信テーブルに登録されているかどうかを調べ（判断１４２）、そのときの着サブアドレスがサブアドレス配信テーブルに登録されていない場合で判断１４２の結果がＮＯになるときには、処理１０６へ移行し、そのときの着呼を無視する。
【０１０６】
一方、そのときの着サブアドレスがサブアドレス配信テーブルに登録されている場合で判断１４２の結果がＹＥＳになるとき、および、サブアドレス配信テーブルにサブアドレスが登録されていない場合で、判断１４１の結果がＮＯになるときには、サブアドレス配信テーブルに登録された１つ以上のサブアドレスについて、属性として「転送」または「緊急時宛先」が登録されているかどうかを調べる（判断１４３）。
【０１０７】
判断１４３の結果がＮＯになるときには、処理１０３へ移行し、通常の着信時処理を実行する。
【０１０８】
また、判断１４３の結果がＹＥＳになるときには、着信応答し（処理１４４）、所定のグループ４ファクシミリ受信蓄積処理（処理１４５）を実行して、相手端末との間でグループ４ファクシミリ伝送動作を行い、受信した画情報を画像蓄積装置９に蓄積する。そして、画情報受信動作を終了すると、回線を解放する（処理１４６）。
【０１０９】
次いで、そのときの着サブアドレスについて、属性として「全宛先」が登録されているかどうかを調べ（判断１４７）、判断１４７の結果がＮＯになるときには、属性として「緊急時宛先」が登録されているかどうかを調べる（判断１４８）。
【０１１０】
判断１４８の結果がＮＯになるときには、そのときの着サブアドレスについて、属性として「転送」が登録されている場合なので、サブアドレス配信テーブルより対応するメールアドレス（転送宛先のメールアドレス）を取得し（処理１５０）、電子メールのヘッダ情報を作成し（処理１５１）、そのときに蓄積した受信画情報をＴＩＦＦ形式の画像データへ変換し（処理１５２）、そのＴＩＦＦ形式の画像データをＭＩＭＥ変換して、電子メールの本文情報のバイナリパートのデータを作成し（処理１５３）、以上のようにして作成した電子メールを送信する（処理１５４）。
【０１１１】
このようにして、サブアドレス配信テーブルに属性として「転送」が登録されているサブアドレスが、着サブアドレスとして通知されている場合には、そのサブアドレス（着サブアドレス）に登録されているメールアドレスに対し、受信した画情報を運ぶ電子メールが送信される。
【０１１２】
また、そのときの着サブアドレスについて、属性として「緊急時宛先」が登録されている場合で、判断１４８の結果がＹＥＳになるときには、画像蓄積装置９に蓄積した受信画情報を符号化複号化部８で元の画像データに復号化し（処理１６０）、それによって得た画像データをプロッタ６に転送して、受信原稿を記録出力する（処理１６１）。
【０１１３】
次いで、サブアドレス配信テーブルより対応するメールアドレス（緊急時宛先のメールアドレス）を取得し（処理１６２）、上述したような緊急時の電子メールのヘッダ情報を作成し（処理１６３）、そのときに蓄積した受信画情報をＴＩＦＦ形式の画像データへ変換し（処理１６４）、そのＴＩＦＦ形式の画像データをＭＩＭＥ変換して、電子メールのバイナリパートのデータを作成し（処理１６５）、以上のようにして作成した電子メールを送信する（処理１６６）。なお、このとき電子メールの本文情報のテキストパートのデータとして、緊急時連絡である旨をあらわす内容を含めることができる。
【０１１４】
このようにして、サブアドレス配信テーブルに属性として「緊急時宛先」が登録されているサブアドレスが、着サブアドレスとして通知されている場合には、そのときの受信画情報の原稿がローカルに記録出力されるとともに、そのサブアドレスに登録されているメールアドレスに対し、受信した画情報を運ぶ緊急連絡用の電子メールが送信されるので、ネットワークファクシミリ装置ＦＸにおいて、受信原稿が記録出力されるので、ネットワークファクシミリ装置ＦＸのユーザに対しても緊急連絡の情報を提供することができ、より信頼性の高い緊急連絡通信を行うことができる。
【０１１５】
また、そのときの着サブアドレスについて、属性として「全宛先」が登録されている場合で、判断１４７の結果がＹＥＳになるときには、サブアドレス配信テーブルより、属性の値に「転送」が登録されている全ての項目から対応するメールアドレス（転送宛先のメールアドレス）を取得し（処理１７０）、電子メールのヘッダ情報を作成し（処理１７１）、そのときに蓄積した受信画情報をＴＩＦＦ形式の画像データへ変換し（処理１７２）、そのＴＩＦＦ形式の画像データをＭＩＭＥ変換して、電子メールの本文情報のバイナリパートのデータを作成し（処理１７３）、以上のようにして作成した電子メールを送信する（処理１７４）。
【０１１６】
このようにして、サブアドレス配信テーブルに属性として「全宛先」が登録されているサブアドレスが、着サブアドレスとして通知されている場合には、サブアドレス配信テーブルに登録されている全ての転送宛先のメールアドレスについて、受信した画情報を運ぶ電子メールが送信されるので、非常に便利である。
【０１１７】
以上のように、本実施例では、着番号配信テーブルに属性として「転送」が登録されているＩＳＤＮ番号が、着番号として通知されている場合には、そのＩＳＤＮ番号に登録されているメールアドレスに対し、受信した画情報を運ぶ電子メールが送信されるので、このネットワークファクシミリ装置ＦＸに対して、転送画情報を送信しようとするグループ４ファクシミリ装置のユーザは、転送先に対応したＩＳＤＮ番号を着番号に指定するだけで、所望する転送先へ画情報を転送させることができ、転送送信操作時の操作の手間を大幅に軽減することができ、非常に便利である。
【０１１８】
また、着番号配信テーブルに属性として「緊急時宛先」が登録されているＩＳＤＮ番号が、着番号として通知されている場合には、そのときの受信画情報の原稿がローカルに記録出力されるとともに、そのＩＳＤＮ番号に登録されているメールアドレスに対し、受信した画情報を運ぶ緊急連絡用の電子メールが送信されるので、ネットワークファクシミリ装置ＦＸにおいて、受信原稿が記録出力されるので、ネットワークファクシミリ装置ＦＸのユーザに対しても緊急連絡の情報を提供することができ、より信頼性の高い緊急連絡通信を行うことができ、非常に便利である。
【０１１９】
また、着番号配信テーブルに属性として「全宛先」が登録されているＩＳＤＮ番号が、着番号として通知されている場合には、着番号配信テーブルに登録されている全ての転送宛先のメールアドレスについて、受信した画情報を運ぶ電子メールが送信されるので、このネットワークファクシミリ装置ＦＸに対して、多数の転送先を指定して転送画情報を送信しようとするグループ４ファクシミリ装置のユーザは、「全宛先」に対応したＩＳＤＮ番号を着番号に指定するだけで、このネットワークファクシミリ装置ＦＸに登録されている全ての転送宛先へ画情報を転送させることができ、転送送信操作時の操作の手間を大幅に軽減することができ、非常に便利である。
【０１２０】
また、本実施例では、着番号による配信が設定されていない場合には、従来と同様に、着サブアドレスによる配信動作が行われるので、このネットワークファクシミリ装置ＦＸの特別な機能を知らない送信側のユーザでも、従来と同様の操作により、所望する宛先へ画情報を転送させることができるので、非常に便利である。
【０１２１】
また、サブアドレス配信テーブルに属性として「緊急時宛先」が登録されているサブアドレスが、着サブアドレスとして通知されている場合には、そのときの受信画情報の原稿がローカルに記録出力されるとともに、そのサブアドレスに登録されているメールアドレスに対し、受信した画情報を運ぶ緊急連絡用の電子メールが送信されるので、ネットワークファクシミリ装置ＦＸにおいて、受信原稿が記録出力されるので、ネットワークファクシミリ装置ＦＸのユーザに対しても緊急連絡の情報を提供することができ、より信頼性の高い緊急連絡通信を行うことができ、非常に便利である。
【０１２２】
また、サブアドレス配信テーブルに属性として「全宛先」が登録されているサブアドレスが、着サブアドレスとして通知されている場合には、サブアドレス配信テーブルに登録されている全ての転送宛先のメールアドレスについて、受信した画情報を運ぶ電子メールが送信されるので、このネットワークファクシミリ装置ＦＸに対して、多数の転送先を指定して転送画情報を送信しようとするグループ４ファクシミリ装置のユーザは、「全宛先」に対応したサブアドレスを着サブアドレスに指定するだけで、このネットワークファクシミリ装置ＦＸに登録されている全ての転送宛先へ画情報を転送させることができ、転送送信操作時の操作の手間を大幅に軽減することができ、非常に便利である。
【０１２３】
ところで、上述した実施例では、ネットワークファクシミリ装置ＦＸは、デジタル公衆網ＩＳＤＮを用いて、他のグループ４ファクシミリ装置との間で画情報をやりとりする機能を備えているが、さらに、アナログ公衆網ＰＳＴＮを用いて、他のグループ３ファクシミリ装置との間で画情報をやりとりする機能を備えた場合についても、本発明を同様にして適用することができる。
【０１２４】
その場合のネットワークファクシミリ装置ＦＸの一例を図１８に示す。なお、同図において、図２と同一部分および相当する部分には、同一符号を付している。
【０１２５】
同図において、制御部１は、このネットワークファクシミリ装置ＦＸの各部の制御処理、および、グループ３ファクシミリ伝送機能処理等の種々の処理を行うものであり、システムメモリ２は、制御部１が実行する制御処理プログラム、および、処理プログラムを実行するときに必要な各種データなどを記憶するとともに、制御部１のワークエリアを構成するものであり、パラメータメモリ３は、このネットワークファクシミリ装置ＦＸに固有な各種の情報を記憶するためのものであり、時計回路４は、現在時刻情報等を出力するためのものである。
【０１２６】
スキャナ５は、所定の解像度で原稿画像を読み取るためのものであり、プロッタ６は、所定の解像度で画像を記録出力するためのものであり、操作表示部７は、このファクシミリ装置を操作するためのもので、各種の操作キー、および、各種の表示器からなる。
【０１２７】
符号化復号化部８は、所定の符号化方式で画信号を符号化圧縮するとともに、符号化圧縮されている画情報を元の画信号に復号化するためのものであり、画像蓄積装置９は、符号化圧縮された状態の画情報を多数記憶するためのものである。
【０１２８】
ＩＳＤＮインタフェース回路１０は、このネットワークファクシミリ装置ＦＸをデジタル公衆網ＩＳＤＮに接続するとともに、レイヤ１の信号処理機能およびＤチャネル（信号チャネル）の信号と２つのＢチャネル（情報チャネル）の信号の統合／分離機能を備えたものであり、Ｄチャネル伝送制御部１１は、呼設定／呼解放手順処理などＩＳＤＮのＤチャネル上の信号処理を実行するためのものであり、Ｂチャネル伝送制御部１２，１３は、Ｂチャネル上で行うグループ４ファクシミリ伝送手順機能を実現するためのものである。
【０１２９】
ローカルエリアネットワークインターフェース回路１４は、このネットワークファクシミリ装置ＦＸをローカルエリアネットワークＬＡＮに接続するためのものであり、ローカルエリアネットワーク伝送制御部１５は、ローカルエリアネットワークＬＡＮを介して、他のデータ端末装置との間で種々のデータをやりとりするための各種所定のプロトコルスイートの通信制御処理を実行するためのものである。
【０１３０】
グループ３ファクシミリモデム２０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【０１３１】
網制御装置２１は、このファクシミリ装置を公衆電話回線網に接続するためのものであり、自動発着信機能を備えている。
【０１３２】
これらの、制御部１、システムメモリ２、パラメータメモリ３、スキャナ４、プロッタ５、操作表示部６、符号化復号化部７、画像蓄積装置８、Ｄチャネル伝送制御部、Ｂチャネル伝送制御部１１，１２、ローカルエリアネットワーク伝送制御部１５、グループ３ファクシミリモデム２０、および、網制御装置２１は、システムバス１６に接続されており、これらの各要素間でのデータのやりとりは、主としてこのシステムバス１６を介して行われている。
【０１３３】
また、この場合、アナログ公衆網ＰＳＴＮについて、複数のダイアルイン番号を契約するとともに、網制御装置２１は、ダイアルイン番号を認識する機能を備え、これにより、上述した実施例と同様に、アナログ公衆網ＰＳＴＮから着信した番号により、個別宛先転送、全宛先転送、緊急時宛先転送などの動作を行うことができる。
【０１３４】
図１９は、本発明の他の実施例にかかるネットワークシステムの一例を示している。
【０１３５】
同図において、ローカルエリアネットワークＬＡＮａには、複数のワークステーション装置ＷＳａ１〜ＷＳａｎ、メールサーバ装置ＳＭａ、および、ネットワークファクシミリ装置ＦＸａが接続されているとともに、ルータ装置ＲＴａを介してインターネットへ接続されている。
【０１３６】
ここで、メールサーバ装置ＳＭａは、ローカルエリアネットワークＬＡＮａに接続されているワークステーション装置ＷＳａ１〜ＷＳａｎを利用するユーザ、および、ネットワークネットワークファクシミリ装置ＦＸａに対して、周知の電子メールの収集および配布のサービスを提供するものである。
【０１３７】
また、ローカルエリアネットワークＬＡＮａは、ルータ装置ＲＴａを介して、インターネットへと接続され、それにより、ワークステーション装置ＷＳａ１〜ＷＳａｎ、メールサーバ装置ＳＭａ、および、ネットワークファクシミリ装置ＦＸａは、他のローカルエリアネットワーク等に接続されているホスト装置等との間で種々のデータのやりとりが可能である。
【０１３８】
また、ワークステーション装置ＷＳａ１〜ＷＳａｎには、ファクシミリ画情報を作成および表示出力するファクシミリアプリケーションソフトウェア、および、ローカルエリアネットワークＬＡＮａを介して種々のデータのやりとりを行うための種々のソフトウェアなどの種々のプログラムが導入されており、特定のユーザにより使用されるものである。ここで、特定のユーザは、一人または複数人のユーザであってよい。
【０１３９】
また、ネットワークファクシミリ装置ＦＸａは、画情報や各種レポートなどを電子メールとしてやりとりするための電子メール処理機能、および、アナログ公衆網ＰＳＴＮに接続し、この公衆網を伝送路として用いてグループ３ファクシミリ伝送手順による画情報伝送を行う伝送機能を備えている。
【０１４０】
図２０は、ネットワークファクシミリ装置ＦＸａの構成例を示している。
【０１４１】
同図において、システム制御部３１は、このネットワークファクシミリ装置ＦＸａの各部の制御処理、および、ファクシミリ伝送制御手順処理などの各種制御処理を行うものであり、システムメモリ３２は、システム制御部３１が実行する制御処理プログラム、および、処理プログラムを実行するときに必要な各種データなどを記憶するとともに、システム制御部３１のワークエリアを構成するものであり、パラメータメモリ３３は、このネットワークファクシミリ装置ＦＸａに固有な各種の情報を記憶するためのものであり、時計回路３４は、現在時刻情報を出力するものである。
【０１４２】
スキャナ３５は、所定の解像度で原稿画像を読み取るためのものであり、プロッタ３６は、所定の解像度で画像を記録出力するためのものであり、操作表示部３７は、このネットワークファクシミリ装置ＦＸａを操作するためのもので、各種の操作キー、および、各種の表示器からなる。
【０１４３】
符号化復号化部３８は、画信号を符号化圧縮するとともに、符号化圧縮されている画情報を元の画信号に復号化するためのものであり、画像蓄積装置３９は、符号化圧縮された状態の画情報を多数記憶するためのものである。
【０１４４】
グループ３ファクシミリモデム４０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【０１４５】
網制御装置４１は、このネットワークファクシミリ装置ＦＸａをアナログ公衆網ＰＳＴＮに接続するためのものであり、自動発着信機能およびダイアルイン処理機能を備えている。なお、アナログ公衆網ＰＳＴＮからのダイアルイン番号の通知は、ＰＢ信号を用いたり、データモデムを用いてデータ列として通知する方法などがある。
【０１４６】
ローカルエリアネットワークインターフェース回路４２は、このネットワークファクシミリ装置ＦＸａをローカルエリアネットワークＬＡＮａに接続するためのものであり、ローカルエリアネットワーク伝送制御部４３は、ローカルエリアネットワークＬＡＮａを介して、他のデータ端末装置との間で種々のデータをやりとりするための各種所定のプロトコルスイートの通信制御処理を実行するためのものである。
【０１４７】
これらの、システム制御部３１、システムメモリ３２、パラメータメモリ３３、時計回路３４、スキャナ３５、プロッタ３６、操作表示部３７、符号化復号化部３８、画像蓄積装置３９、グループ３ファクシミリモデム４０、網制御装置４１、および、ローカルエリアネットワーク伝送制御部４３は、内部バス４４に接続されており、これらの各要素間でのデータのやりとりは、主としてこの内部バス４４を介して行われている。
【０１４８】
また、網制御装置４１とグループ３ファクシミリモデム４０との間のデータのやりとりは、直接行なわれている。
【０１４９】
さて、本実施例では、アナログ公衆網ＰＳＴＮに対して、複数のダイアルイン電話番号（ダイアルイン番号）を契約している。例えば、この場合、２３４−０００１，２３４−０００２，２３４−０００３，２３４−０００４，２３４−０００５，２３４−０００６の６個のダイアルイン番号が契約される。
【０１５０】
また、これらのダイアルイン番号のうち、ネットワークファクシミリ装置ＦＸａが着呼応答するダイアルイン番号としては、例えば、図２１に示すような着呼応答番号テーブルに登録される。この場合は、２３４−０００１〜２３４−０００５が登録されている。
【０１５１】
そして、本実施例では、おのおののダイアルイン番号について受信した画情報を転送する転送先のメールアドレスが、図２２に示すようなダイアルイン番号配信テーブルに登録される。
【０１５２】
この場合、ダイアルイン番号配信テーブルには、ダイアルイン番号の２３４−０００１，２３４−０００２，２３４−０００３については、それぞれ属性として、画情報の転送を指示する旨を表す「転送」が登録されるとともに、対応するメールアドレスａａａ＠ｆａｘ．ｃｏ．ｊｐ，ｂｂｂ＠ｆａｘ．ｃｏ．ｊｐ，ｃｃｃ＠ｆａｘ．ｃｏ．ｊｐが「アドレス」として登録されている。
【０１５３】
また、ダイアルイン番号の２３４−０００４については、属性として、他のＩＳＤＮ番号に登録されている全てのメールアドレスについて転送先を指示する旨を表す「全宛先」が設定されている。また、ダイアルイン番号の２３４−０００５については、属性として、緊急時の宛先をあらわす「緊急時宛先」が登録され、「アドレス」として、例えば、緊急時連絡先であるメールアドレス「ａａａ＠ｆａｘ．ｃｏ．ｊｐ」が登録される。
【０１５４】
一方、本実施例では、ネットワークファクシミリ装置ＦＸａについて、ダイアルイン番号による転送先の指定と、グループ３ファクシミリ伝送手順において信号ＳＵＢを用いて通知されるサブアドレスによる転送先の指定のいずれかを選択できるようにしており、サブアドレスによる転送先の指定が選択されている場合には、図２３に示すサブアドレス配信テーブルが参照される。
【０１５５】
この場合、サブアドレス配信テーブルには、「０００１」〜「０００５」の５個のサブアドレスが登録されており、サブアドレス「０００１」〜「０００３」については、それぞれ属性として、画情報の転送を指示する旨を表す「転送」が登録されるとともに、対応するメールアドレスａａａ＠ｆａｘ．ｃｏ．ｊｐ，ｂｂｂ＠ｆａｘ．ｃｏ．ｊｐ，ｃｃｃ＠ｆａｘ．ｃｏ．ｊｐが「アドレス」として登録されている。
【０１５６】
また、サブアドレス「０００４」については、属性として、他のサブアドレスに登録されている全てのメールアドレスについて転送先を指示する旨を表す「全宛先」が設定されており、また、サブアドレス「０００５」については、属性として、緊急時の宛先をあらわす「緊急時宛先」が登録され、「アドレス」として、例えば、緊急時連絡先であるメールアドレス「ａａａ＠ｆａｘ．ｃｏ．ｊｐ」が登録される。
【０１５７】
ここで、本実施例においても、上述した実施例と同様に、基本的には、ローカルエリアネットワークＬＡＮに接続されている端末相互間でのデータのやりとりは、ＴＣＰ／ＩＰと呼ばれるトランスポートレイヤまでの伝送プロトコルと、それ以上の上位レイヤの通信プロトコルとの組み合わせからなるプロトコルスイートが適用して行われる。また、画情報を運ぶ電子メールの形式も、上述した実施例と同様のＭＩＭＥ形式（マルチパートＭＩＭＥ形式を含む）が適用される。
【０１５８】
また、各端末がメールサーバ装置ＳＭａに対して、ユーザ宛の電子メールの受信確認や取得要求などのために適用するプロトコルとしては、いわゆるＰＯＰなどを適用することができる。
【０１５９】
また、通常の転送先が指定された場合、上述した実施例と同様に、メールヘッダ部の「Ｓｕｂｊｅｃｔ」フィールドには、図８に示すような「ファクシミリ受信通知」という文字列が配置され、また、緊急時宛先が指定された場合、メールヘッダ部の「Ｓｕｂｊｅｃｔ」フィールドには、図９に示すような「[緊急]ファクシミリ受信通知」という文字列が配置される。
【０１６０】
これにより、電子メールを受け取ったユーザは、その電子メールがファクシミリ画情報を運ぶものであることを明確に知ることができるとともに、緊急通信にかかるファクシミリ画情報である旨も明確に知ることができる。
【０１６１】
また、メールヘッダ部の「Ｆｒｏｍ」フィールドには、着信時にアナログ公衆網ＰＳＴＮから通知される発番号の内容が配置され、それにより、電子メールのユーザは、受信した画情報の発信元を明確に知ることができる。なお、この通知は、アナログ公衆網ＰＳＴＮが発信者番号通知サービスを提供している場合についてのみ適用される。
【０１６２】
図２４〜図３１は、着信検出時にこのネットワークファクシミリ装置ＦＸａが実行する処理の一例を示している。
【０１６３】
アナログ公衆網ＰＳＴＮから着信検出すると、そのときにダイアルイン番号による配信が設定されているかどうかを調べる（判断２０１）。判断２０１の結果がＹＥＳになるときには、その着信検出時にダイアルイン番号を受信したかどうかを調べる（判断２０２）。
【０１６４】
着信検出時にダイアルイン番号を受信していない場合で、判断２０２の結果がＮＯになるときには、通常の着信時処理（処理２０３）を実行して、この着信検出時の動作を終了する。
【０１６５】
また、着信検出時にダイアルイン番号を受信した場合で、判断２０２の結果がＹＥＳになるときには、着呼応答番号テーブルに着呼応答番号が登録されているかどうかを調べる（判断２０４）。
【０１６６】
着呼応答番号テーブルに着呼応答番号が登録されている場合で、判断２０４の結果がＹＥＳになるときには、そのときのダイアルイン番号が着呼応答番号テーブルに登録されているかどうかを調べる（判断２０５）。そのときのダイアルイン番号が着呼応答番号テーブルに登録されていない場合で判断２０５の結果がＮＯになるときには、そのときの着呼を無視し（処理２０６）、このときの着信時動作を終了する。
【０１６７】
一方、そのときのダイアルイン番号が着呼応答番号テーブルに登録されている場合で判断２０５の結果がＹＥＳになるとき、および、着呼応答番号テーブルに着呼応答番号が登録されていない場合で、判断２０４の結果がＮＯになるときには、着番号配信テーブルに登録された１つ以上のダイアルイン番号について、属性として「転送」または「緊急時宛先」が登録されているかどうかを調べる（判断２０７）。
【０１６８】
判断２０７の結果がＮＯになるときには、処理２０３へ移行し、通常の着信時処理を実行する。
【０１６９】
また、判断２０７の結果がＹＥＳになるときには、着信応答し（処理２０８）、所定のグループ３ファクシミリ受信蓄積処理（処理２０９）を実行して、相手端末との間でグループ３ファクシミリ伝送動作を行い、受信した画情報を画像蓄積装置３９に蓄積する。そして、画情報受信動作を終了すると、回線を解放する（処理２１０）。
【０１７０】
次いで、そのときのダイアルイン番号について、属性として「全宛先」が登録されているかどうかを調べ（判断２１１）、判断２１１の結果がＮＯになるときには、属性として「緊急時宛先」が登録されているかどうかを調べる（判断２１２）。
【０１７１】
判断２１２の結果がＮＯになるときには、そのときのダイアルイン番号について、属性として「転送」が登録されている場合なので、ダイアルイン番号配信テーブルより対応するメールアドレス（転送宛先のメールアドレス）を取得し（処理２１５）、電子メールのヘッダ情報を作成し（処理２１６）、そのときに蓄積した受信画情報をＴＩＦＦ形式の画像データへ変換し（処理２１７）、そのＴＩＦＦ形式の画像データをＭＩＭＥ変換して、電子メールの本文情報のバイナリパートのデータを作成し（処理２１８）、以上のようにして作成した電子メールを送信する（処理２１９）。
【０１７２】
このようにして、ダイアルイン番号配信テーブルに属性として「転送」が登録されているダイアルイン番号が、着信時のダイアルイン番号として通知されている場合には、そのダイアルイン番号に登録されているメールアドレスに対し、受信した画情報を運ぶ電子メールが送信される。
【０１７３】
また、そのときの着番号について、属性として「緊急時宛先」が登録されている場合で、判断２１２の結果がＹＥＳになるときには、画像蓄積装置３９に蓄積した受信画情報を符号化複号化部８で元の画像データに復号化し（処理２２０）、それによって得た画像データをプロッタ６に転送して、受信原稿を記録出力する（処理２２１）。
【０１７４】
次いで、ダイアルイン番号配信テーブルより対応するメールアドレス（緊急時宛先のメールアドレス）を取得し（処理２２２）、上述したような緊急時の電子メールのヘッダ情報を作成し（処理２２３）、そのときに蓄積した受信画情報をＴＩＦＦ形式の画像データへ変換し（処理２２４）、そのＴＩＦＦ形式の画像データをＭＩＭＥ変換して、電子メールのバイナリパートのデータを作成し（処理２２５）、以上のようにして作成した電子メールを送信する（処理２２６）。なお、このとき電子メールの本文情報のテキストパートのデータとして、緊急時連絡である旨をあらわす内容を含めることができる。
【０１７５】
このようにして、ダイアルイン番号配信テーブルに属性として「緊急時宛先」が登録されているダイアルイン番号が、着信時のダイアルイン号として通知されている場合には、そのときの受信画情報の原稿がローカルに記録出力されるとともに、そのダイアルイン番号に登録されているメールアドレスに対し、受信した画情報を運ぶ緊急連絡用の電子メールが送信されるので、ネットワークファクシミリ装置ＦＸａにおいて、受信原稿が記録出力されるので、ネットワークファクシミリ装置ＦＸａのユーザに対しても緊急連絡の情報を提供することができ、より信頼性の高い緊急連絡通信を行うことができる。
【０１７６】
また、そのときの着番号について、属性として「全宛先」が登録されている場合で、判断２１１の結果がＹＥＳになるときには、ダイアルイン番号配信テーブルより、属性の値に「転送」が登録されている全ての項目から対応するメールアドレス（転送宛先のメールアドレス）を取得し（処理２３０）、電子メールのヘッダ情報を作成し（処理２３１）、そのときに蓄積した受信画情報をＴＩＦＦ形式の画像データへ変換し（処理２３２）、そのＴＩＦＦ形式の画像データをＭＩＭＥ変換して、電子メールの本文情報のバイナリパートのデータを作成し（処理２３３）、以上のようにして作成した電子メールを送信する（処理２３４）。
【０１７７】
このようにして、ダイアルイン番号配信テーブルに属性として「全宛先」が登録されているダイアルイン番号が、着信時のダイアルイン番号として通知されている場合には、ダイアルイン番号配信テーブルに登録されている全ての転送宛先のメールアドレスについて、受信した画情報を運ぶ電子メールが送信されるので、非常に便利である。
【０１７８】
一方、ダイアルイン番号による配信が設定されていない場合で、判断２０１の結果がＮＯになるときには、グループ３ファクシミリ伝送手順において受信する信号ＳＵＢで通知されるサブアドレスによる配信動作を行う。
【０１７９】
したがって、まず、着信応答し（処理２４０）、所定のグループ３ファクシミリ受信蓄積処理（処理２４１）を実行して、相手端末との間でグループ３ファクシミリ伝送動作を行い、受信した画情報を画像蓄積装置３９に蓄積する。そして、画情報受信動作を終了すると、回線を解放する（処理２４２）。
【０１８０】
そして、そのときのグループ３ファクシミリ伝送手順において、信号ＳＵＢを受信したかどうかを調べ（判断２４３）、グループ３ファクシミリ伝送手順において、信号ＳＵＢを受信している場合で、判断２４３の結果がＹＥＳになるときには、サブアドレス配信テーブルにサブアドレスが登録されているかどうかを調べる（判断２４４）。
【０１８１】
サブアドレス配信テーブルにサブアドレスが登録されている場合で、判断２４４の結果がＹＥＳになるときには、そのときに通知されたサブアドレスがサブアドレス配信テーブルに登録されているかどうかを調べる（判断２４５）。そのときに通知されたサブアドレスがサブアドレス配信テーブルに登録されていない場合で判断２４５の結果がＮＯになるときには、その時点で、この着信時の処理を終了する。したがって、この場合には、受信画情報はどこへも出力されない。
【０１８２】
一方、そのときの着サブアドレスがサブアドレス配信テーブルに登録されている場合で判断２４５の結果がＹＥＳになるとき、および、サブアドレス配信テーブルにサブアドレスが登録されていない場合で、判断２４４の結果がＮＯになるときには、サブアドレス配信テーブルに登録された１つ以上のサブアドレスについて、属性として「転送」または「緊急時宛先」が登録されているかどうかを調べる（判断２４６）。
【０１８３】
判断２４６の結果がＮＯになるとき、および、判断２４３の結果がＮＯになるときには、符号化複号化部２８で蓄積した受信画情報を元の画像データへ復号化して、プロッタ３６より記録出力し（処理２４７）、この着信時の処理を終了する。
【０１８４】
判断２４６の結果がＹＥＳになるときには、そのときのサブアドレスについて、属性として「全宛先」が登録されているかどうかを調べ（判断２４８）、判断２４８の結果がＮＯになるときには、属性として「緊急時宛先」が登録されているかどうかを調べる（判断２４９）。
【０１８５】
判断２４９の結果がＮＯになるときには、そのときのサブアドレスについて、属性として「転送」が登録されている場合なので、サブアドレス配信テーブルより対応するメールアドレス（転送宛先のメールアドレス）を取得し（処理２５０）、電子メールのヘッダ情報を作成し（処理２５１）、そのときに蓄積した受信画情報をＴＩＦＦ形式の画像データへ変換し（処理２５２）、そのＴＩＦＦ形式の画像データをＭＩＭＥ変換して、電子メールの本文情報のバイナリパートのデータを作成し（処理２５３）、以上のようにして作成した電子メールを送信する（処理２５４）。
【０１８６】
このようにして、サブアドレス配信テーブルに属性として「転送」が登録されているサブアドレスが、着サブアドレスとして通知されている場合には、そのサブアドレス（着サブアドレス）に登録されているメールアドレスに対し、受信した画情報を運ぶ電子メールが送信される。
【０１８７】
また、そのときの着サブアドレスについて、属性として「緊急時宛先」が登録されている場合で、判断２４９の結果がＹＥＳになるときには、画像蓄積装置３９に蓄積した受信画情報を符号化複号化部８で元の画像データに復号化し（処理２６０）、それによって得た画像データをプロッタ６に転送して、受信原稿を記録出力する（処理２６１）。
【０１８８】
次いで、サブアドレス配信テーブルより対応するメールアドレス（緊急時宛先のメールアドレス）を取得し（処理２６２）、上述したような緊急時の電子メールのヘッダ情報を作成し（処理２６３）、そのときに蓄積した受信画情報をＴＩＦＦ形式の画像データへ変換し（処理２６４）、そのＴＩＦＦ形式の画像データをＭＩＭＥ変換して、電子メールのバイナリパートのデータを作成し（処理２６５）、以上のようにして作成した電子メールを送信する（処理２６６）。なお、このとき電子メールの本文情報のテキストパートのデータとして、緊急時連絡である旨をあらわす内容を含めることができる。
【０１８９】
このようにして、サブアドレス配信テーブルに属性として「緊急時宛先」が登録されているサブアドレスが、サブアドレスとして通知されている場合には、そのときの受信画情報の原稿がローカルに記録出力されるとともに、そのサブアドレスに登録されているメールアドレスに対し、受信した画情報を運ぶ緊急連絡用の電子メールが送信されるので、ネットワークファクシミリ装置ＦＸａにおいて、受信原稿が記録出力されるので、ネットワークファクシミリ装置ＦＸａのユーザに対しても緊急連絡の情報を提供することができ、より信頼性の高い緊急連絡通信を行うことができる。
【０１９０】
また、そのときの着サブアドレスについて、属性として「全宛先」が登録されている場合で、判断２４８の結果がＹＥＳになるときには、サブアドレス配信テーブルより、属性の値に「転送」が登録されている全ての項目から対応するメールアドレス（転送宛先のメールアドレス）を取得し（処理２７０）、電子メールのヘッダ情報を作成し（処理２７１）、そのときに蓄積した受信画情報をＴＩＦＦ形式の画像データへ変換し（処理２７２）、そのＴＩＦＦ形式の画像データをＭＩＭＥ変換して、電子メールの本文情報のバイナリパートのデータを作成し（処理２７３）、以上のようにして作成した電子メールを送信する（処理２７４）。
【０１９１】
このようにして、サブアドレス配信テーブルに属性として「全宛先」が登録されているサブアドレスが、サブアドレスとして通知されている場合には、サブアドレス配信テーブルに登録されている全ての転送宛先のメールアドレスについて、受信した画情報を運ぶ電子メールが送信されるので、非常に便利である。
【０１９２】
以上のように、本実施例では、ダイアルイン番号配信テーブルに属性として「転送」が登録されているダイアルイン番号が、着信時のダイアルイン番号として通知されている場合には、そのダイアル番号に登録されているメールアドレスに対し、受信した画情報を運ぶ電子メールが送信されるので、このネットワークファクシミリ装置ＦＸａに対して、転送画情報を送信しようとするグループ３ファクシミリ装置のユーザは、転送先に対応したダイアルイン番号を着番号に指定するだけで、所望する転送先へ画情報を転送させることができ、転送送信操作時の操作の手間を大幅に軽減することができ、非常に便利である。
【０１９３】
また、ダイアルイン番号配信テーブルに属性として「緊急時宛先」が登録されているダイアルイン番号が、着信時のダイアルイン号として通知されている場合には、そのときの受信画情報の原稿がローカルに記録出力されるとともに、そのダイアルイン番号に登録されているメールアドレスに対し、受信した画情報を運ぶ緊急連絡用の電子メールが送信されるので、ネットワークファクシミリ装置ＦＸａにおいて、受信原稿が記録出力されるので、ネットワークファクシミリ装置ＦＸａのユーザに対しても緊急連絡の情報を提供することができ、より信頼性の高い緊急連絡通信を行うことができ、非常に便利である。
【０１９４】
また、ダイアルイン番号配信テーブルに属性として「全宛先」が登録されているダイアルイン番号が、着信時のダイアルイン号として通知されている場合には、ダイアルイン番号配信テーブルに登録されている全ての転送宛先のメールアドレスについて、受信した画情報を運ぶ電子メールが送信されるので、このネットワークファクシミリ装置ＦＸａに対して、多数の転送先を指定して転送画情報を送信しようとするグループ３ファクシミリ装置のユーザは、「全宛先」に対応したダイアルイン番号を着番号に指定するだけで、このネットワークファクシミリ装置ＦＸａに登録されている全ての転送宛先へ画情報を転送させることができ、その結果、転送送信操作時の操作の手間を大幅に軽減することができ、非常に便利である。
【０１９５】
また、本実施例では、ダイアルイン番号による配信が設定されていない場合には、従来と同様に、信号ＳＵＢにより通知されるサブアドレスによる配信動作が行われるので、このネットワークファクシミリ装置ＦＸａの特別な機能を知らない送信側のユーザでも、従来と同様の操作により、所望する宛先へ画情報を転送させることができるので、非常に便利である。
【０１９６】
また、サブアドレス配信テーブルに属性として「緊急時宛先」が登録されているサブアドレスが、着サブアドレスとして通知されている場合には、そのときの受信画情報の原稿がローカルに記録出力されるとともに、そのサブアドレスに登録されているメールアドレスに対し、受信した画情報を運ぶ緊急連絡用の電子メールが送信されるので、ネットワークファクシミリ装置ＦＸａにおいて、受信原稿が記録出力されるので、ネットワークファクシミリ装置ＦＸａのユーザに対しても緊急連絡の情報を提供することができ、より信頼性の高い緊急連絡通信を行うことができ、非常に便利である。
【０１９７】
また、サブアドレス配信テーブルに属性として「全宛先」が登録されているサブアドレスが、着サブアドレスとして通知されている場合には、サブアドレス配信テーブルに登録されている全ての転送宛先のメールアドレスについて、受信した画情報を運ぶ電子メールが送信されるので、このネットワークファクシミリ装置ＦＸａに対して、多数の転送先を指定して転送画情報を送信しようとするグループ３ファクシミリ装置のユーザは、「全宛先」に対応したサブアドレスを着サブアドレスに指定するだけで、このネットワークファクシミリ装置ＦＸａに登録されている全ての転送宛先へ画情報を転送させることができ、転送送信操作時の操作の手間を大幅に軽減することができ、非常に便利である。
【図面の簡単な説明】
【０１９８】
【図１】本発明の一実施例にかかるネットワークシステムを示したブロック図。
【図２】本発明の一実施例にかかるネットワークファクシミリ装置ＦＸの構成例を示したブロック図。
【図３】複数番号の契約の一例を示した概略図。
【図４】着呼応答番号テーブルの一例を示した概略図。
【図５】着番号配信テーブルの一例を示した概略図。
【図６】サブアドレス配信テーブルの一例を示した概略図。
【図７】画情報を送信する際に用いられる電子メールの一例を示した概略図。
【図８】転送宛先へ画情報を運ぶ電子メールのヘッダ情報の一部を示した概略図。
【図９】緊急時宛先へ転送画情報を運ぶ緊急電子メールのヘッダ情報の一部を示した概略図。
【図１０】着信検出時にネットワークファクシミリ装置ＦＸが実行する処理の一例を示したフローチャート。
【図１１】着信検出時にネットワークファクシミリ装置ＦＸが実行する処理の一例を示したフローチャート（続き）。
【図１２】着信検出時にネットワークファクシミリ装置ＦＸが実行する処理の一例を示したフローチャート（続き）。
【図１３】着信検出時にネットワークファクシミリ装置ＦＸが実行する処理の一例を示したフローチャート（続き）。
【図１４】着信検出時にネットワークファクシミリ装置ＦＸが実行する処理の一例を示したフローチャート（続き）。
【図１５】着信検出時にネットワークファクシミリ装置ＦＸが実行する処理の一例を示したフローチャート（続き）。
【図１６】着信検出時にネットワークファクシミリ装置ＦＸが実行する処理の一例を示したフローチャート（続き）。
【図１７】着信検出時にネットワークファクシミリ装置ＦＸが実行する処理の一例を示したフローチャート（続き）。
【図１８】本発明の他の実施例にかかるネットワークファクシミリ装置ＦＸの構成例を示したブロック図。
【図１９】本発明の別な実施例にかかるネットワークシステムを示したブロック図。
【図２０】本発明の別な実施例にかかるネットワークファクシミリ装置ＦＸａの構成例を示したブロック図。
【図２１】着呼応答番号テーブルの他の例を示した概略図。
【図２２】ダイアルイン番号配信テーブルの一例を示した概略図。
【図２３】サブアドレス配信テーブルの他の例を示した概略図。
【図２４】着信検出時にネットワークファクシミリ装置ＦＸａが実行する処理の一例を示したフローチャート。
【図２５】着信検出時にネットワークファクシミリ装置ＦＸａが実行する処理の一例を示したフローチャート（続き）。
【図２６】着信検出時にネットワークファクシミリ装置ＦＸａが実行する処理の一例を示したフローチャート（続き）。
【図２７】着信検出時にネットワークファクシミリ装置ＦＸａが実行する処理の一例を示したフローチャート（続き）。
【図２８】着信検出時にネットワークファクシミリ装置ＦＸａが実行する処理の一例を示したフローチャート（続き）。
【図２９】着信検出時にネットワークファクシミリ装置ＦＸａが実行する処理の一例を示したフローチャート（続き）。
【図３０】着信検出時にネットワークファクシミリ装置ＦＸａが実行する処理の一例を示したフローチャート（続き）。
【図３１】着信検出時にネットワークファクシミリ装置ＦＸａが実行する処理の一例を示したフローチャート（続き）。
【符号の説明】
【０１９９】
ＦＸ，ＦＸａ  ネットワークファクシミリ装置
【図１】
2005278183.tif 000003
【図２】
2005278183.tif 000004
【図３】
2005278183.tif 000005
【図４】
2005278183.tif 000006
【図５】
2005278183.tif 000007
【図６】
2005278183.tif 000008
【図７】
2005278183.tif 000009
【図８】
2005278183.tif 000010
【図９】
2005278183.tif 000011
【図１０】
2005278183.tif 000012
【図１１】
2005278183.tif 000013
【図１２】
2005278183.tif 000014
【図１３】
2005278183.tif 000015
【図１４】
2005278183.tif 000016
【図１５】
2005278183.tif 000017
【図１６】
2005278183.tif 000018
【図１７】
2005278183.tif 000019
【図１８】
2005278183.tif 000020
【図１９】
2005278183.tif 000021
【図２０】
2005278183.tif 000022
【図２１】
2005278183.tif 000023
【図２２】
2005278183.tif 000024
【図２３】
2005278183.tif 000025
【図２４】
2005278183.tif 000026
【図２５】
2005278183.tif 000027
【図２６】
2005278183.tif 000028
【図２７】
2005278183.tif 000029
【図２８】
2005278183.tif 000030
【図２９】
2005278183.tif 000031
【図３０】
2005278183.tif 000032
【図３１】
2005278183.tif 000033